(57)【要約】      （修正有）【課題】医療従事者が行った診療行為を、医療機器に関する各種情報に基づいて判定でき、診療行為に応じた様々なサービスの提供を容易にする情報処理装置、情報処理システム、及び情報処理方法を提供する。【解決手段】支援システム１は、歯科診療を行う診療所において、通信回線３を介して通信可能に接続された複数の診療装置４、１つの管理装置６と、診療所から離れた遠隔地において、診療所の管理装置６に通信回線７を介して通信可能に接続された外部サーバー８とで構成されている。外部サーバー８は、管理装置６を介して、診療装置４から取得した各種情報を処理する機能、及び取得した各種情報に基づいて、医療従事者の業務を支援する機能などを有する。【選択図】図２
2020135668.tif 000002
【特許請求の範囲】
【請求項１】
医療機器に関する各種情報を処理する情報処理装置であって、
前記医療機器の制御または状態に関連する関連情報を取得する取得部と、
複数の前記関連情報が、診療行為の判定条件である診療判定条件を満足する場合、前記複数の関連情報を診療の実施と判定する判定部とを備えた
情報処理装置。
【請求項２】
前記取得部は、
前記医療機器の制御に関連する時間、または状態に関連する時間の情報である機器時間情報が付与された前記関連情報を取得するものであり、
前記判定部は、
前記機器時間情報を含む前記複数の関連情報が前記診療判定条件を満足する場合、診療の実施と判定するものである
請求項１に記載の情報処理装置。
【請求項３】
前記診療判定条件は、
前記関連情報の取得順序である
請求項１または請求項２に記載の情報処理装置。
【請求項４】
前記判定部は、
医療機器を洗浄する機器の制御または状態に関連する洗浄関連情報を取得している場合、前記関連情報を医療機器の洗浄によるものとして、診療の実施ではないと判定するものである
請求項１から請求項３のいずれか１つに記載の情報処理装置。
【請求項５】
前記判定部は、
前記洗浄関連情報が前記医療機器の洗浄実施の判定条件である洗浄判定条件を満足する場合、前記洗浄関連情報を医療機器の洗浄実施と判定するものであり、
前記判定部による判定が前記医療機器の洗浄実施の場合、前記洗浄関連情報に基づいて前記医療機器の洗浄実績を示す洗浄実績情報を生成する実績情報生成部を備えた
請求項４に記載の情報処理装置。
【請求項６】
前記実績情報生成部は、
前記判定部による判定が診療の実施の場合、前記関連情報に基づいて診療の実施実績を示す診療実績情報を生成するとともに、該診療実績情報と前記洗浄実績情報とを関連付けた実績情報を生成するものである
請求項５に記載の情報処理装置。
【請求項７】
前記判定部は、
前記複数の関連情報と、機械学習を用いた推定モデルとに基づいて、診療の実施と判定するものであり、
前記診療判定条件は、
前記推定モデルの学習によって構築されるものであり、
前記推定モデルは、
前記判定部による判定結果を示す判定結果情報と、前記関連情報に対する教師データである医療従事者による診療行為を示す行為情報とによって学習されるものである
請求項１に記載の情報処理装置。
【請求項８】
前記医療機器を歯科医療機器とし、
前記判定部は、
前記歯科医療機器の制御または状態に関連する前記関連情報と前記診療判定条件に基づいて、歯科診療の実施を判定するものである
請求項１から請求項７のいずれか１つに記載の情報処理装置。
【請求項９】
前記判定部は、
前記歯科診療の実施を、さらに歯科診療における予防診療、治療、あるいは手術のいずれかと判定するものである
請求項８に記載の情報処理装置。
【請求項１０】
前記関連情報は、
診療台の動作に関連する情報、オペレーティングライトの点灯に関連する情報、ハンドピースの動作に関連する情報、スケーラの動作に関連する情報、ハンドピースライトの点灯に関連する情報、バキュームの動作に関連する情報、レーザ機器の動作に関連する情報、レントゲン機器の動作に関連する情報、あるいはオートクレーブの動作に関連する情報のいずれかである
請求項８または請求項９に記載の情報処理装置。
【請求項１１】
前記関連情報は、
診療台の状態に関連する情報、前記医療機器の開閉蓋または開閉扉の開閉状態に関連する情報、前記医療機器の接続状態に関連する情報、電圧値の変化に基づいた前記医療機器の状態に関連する情報、電流値の変化に基づいた前記医療機器の状態に関連する情報、温度変化に基づいた前記医療機器の状態に関連する情報、前記医療機器の載置状態に関連する情報、前記医療機器の水管路の水圧に関する情報、前記医療機器の水管路の流量に関する情報、前記医療機器の空気管路の気圧に関する情報、あるいは前記医療機器の油管路の油圧に関する情報のいずれかである
請求項８から請求項１０のいずれか１つに記載の情報処理装置。
【請求項１２】
前記関連情報は、
前記医療機器を識別する機器識別情報が付与されたものであり、
前記判定部は、
前記機器識別情報が付与された複数の前記関連情報が前記診療判定条件を満足する場合、前記複数の関連情報を、前記機器識別情報に対応する前記医療機器による診療の実施と判定するものである
請求項１から請求項１１のいずれか１つに記載の情報処理装置。
【請求項１３】
医療機器に関する各種情報を処理する情報処理システムであって、
前記医療機器の制御または状態を検知する制御装置と、
前記医療機器の制御または状態に関連する関連情報を取得する請求項１から請求項１２のいずれか１つに記載の情報処理装置とを備えた
情報処理システム。
【請求項１４】
医療機器に関する各種情報を処理する装置を用いた情報処理方法であって、
前記医療機器の制御または状態に関連する関連情報を取得する取得工程と、
複数の前記関連情報が、診療行為の判定条件である診療判定条件を満足する場合、前記複数の関連情報を診療の実施と判定する判定工程とを備えた
情報処理方法。
【発明の詳細な説明】
【技術分野】
【０００１】
この発明は、例えば医療従事者が行った診療行為を、医療機器に関する各種情報に基づいて判定する情報処理装置、情報処理システム、及び情報処理方法に関する。
【背景技術】
【０００２】
昨今、医療の分野における各種装置の急速な高度化が、比較的規模の大きい病院に設置される装置だけでなく、歯科診療などを行う比較的小さな診療所に設置される装置にも広がっている。  
例えば、診療所で用いられる医療機器の動作を制御する制御装置と、診療に関する各種情報を処理する情報処理装置とが、通信可能に接続された情報処理システムが考案されている（特許文献１参照）。
【０００３】
この特許文献１の情報処理システムでは、診療機器を操作するためのマルチコントローラーからの要求に対する応答として、情報処理装置である管理サーバーが、診療機器情報、術者情報、及び患者情報などの各種情報を送信することで、診療機器の設定を術者及び患者に応じて設定できるとともに、術者及び患者に応じた設定が反映された操作画面をマルチコントローラーに表示している。これにより、特許文献１は、術者及び患者に応じた所望の診療機器で正確に診療することができるとされている。
【０００４】
ところで、特許文献１のような情報処理装置は、上述したように、医療機器の動作を制御する制御装置から各種情報を取得することができる。このため、昨今では、制御装置から取得した各種情報に基づいた様々なサービスを提供することが検討されている。
【０００５】
しかしながら、情報処理装置は、取得した各種情報が、診療行為に伴うものか、例えば、点検や洗浄などの診療行為ではない行為に伴うものかを容易に知ることができないため、診療行為に応じた様々なサービスの提供が難しいという問題があった。
【先行技術文献】
【特許文献】
【０００６】
【特許文献１】特開２０１３−９０７２２号公報
【発明の概要】
【発明が解決しようとする課題】
【０００７】
本発明は、上述の問題に鑑み、医療従事者が行った診療行為を、医療機器に関する各種情報に基づいて判定でき、診療行為に応じた様々なサービスの提供を容易にする情報処理装置、情報処理システム、及び情報処理方法を提供することを目的とする。
【課題を解決するための手段】
【０００８】
この発明は、医療機器に関する各種情報を処理する情報処理装置であって、前記医療機器の制御または状態に関連する関連情報を取得する取得部と、複数の前記関連情報が、診療行為の判定条件である診療判定条件を満足する場合、前記複数の関連情報を診療の実施と判定する判定部とを備えたことを特徴とする。  
この発明により、複数の関連情報が診療行為によるものであるかを容易に判定することができる。
【０００９】
この発明の態様として、前記取得部は、前記医療機器の制御に関連する時間、または状態に関連する時間の情報である機器時間情報が付与された前記関連情報を取得するものであり、前記判定部は、前記機器時間情報を含む前記複数の関連情報が前記診療判定条件を満足する場合、診療の実施と判定するものであってもよい。  
この発明により、情報処理装置は、医療従事者が行った診療行為をより精度よく知ることができる。
【００１０】
また、この発明の態様として、前記診療判定条件は、前記関連情報の取得順序であってもよい。  
この発明により、情報処理装置は、医療機器の使用順序が決まっている医療従事者による診療行為を容易に判定することができる。
【００１１】
また、この発明の態様として、前記判定部は、医療機器を洗浄する機器の制御または状態に関連する洗浄関連情報を取得している場合、前記関連情報を医療機器の洗浄によるものとして、診療の実施ではないと判定するものであってもよい。  
この発明により、情報処理装置は、複数の関連情報が診療判定条件を満足している場合であっても、洗浄関連情報を取得していれば、複数の関連情報を診療の実施でない判定することができる。
【００１２】
また、この発明の態様として、前記判定部は、前記洗浄関連情報が前記医療機器の洗浄実施の判定条件である洗浄判定条件を満足する場合、前記洗浄関連情報を医療機器の洗浄実施と判定するものであり、前記判定部による判定が前記医療機器の洗浄実施の場合、前記洗浄関連情報に基づいて前記医療機器の洗浄実績を示す洗浄実績情報を生成する実績情報生成部を備えてもよい。  
この発明により、情報処理装置は、医療従事者が行った診療行為をより一層精度よく知ることができる。
【００１３】
また、この発明の態様として、前記実績情報生成部は、前記判定部による判定が診療の実施の場合、前記関連情報に基づいて診療の実施実績を示す診療実績情報を生成するとともに、該診療実績情報と前記洗浄実績情報とを関連付けた実績情報を生成するものであってもよい。
【００１４】
この発明により、情報処理装置は、実績情報生成部が生成した実績情報を、例えば、診療の実施実績に対する医療機器の洗浄実績を医療従事者に提供するサービス、あるいは診療の実施実績に対して医療機器の洗浄が適切であるかを通知するサービスなどに用いることができる。
【００１５】
また、この発明の態様として、前記判定部は、前記複数の関連情報と、機械学習を用いた推定モデルとに基づいて、診療の実施と判定するものであり、前記診療判定条件は、前記推定モデルの学習によって構築されるものであり、前記推定モデルは、前記判定部による判定結果を示す判定結果情報と、前記関連情報に対する教師データである医療従事者による診療行為を示す行為情報とによって学習されるものであってもよい。
【００１６】
この発明により、情報処理装置は、複数の関連情報をより精度よく判定できるため、医療従事者が行った診療行為をさらに精度よく知ることができる。  
さらに、情報処理装置は、次回判定時における判定部の判定精度を向上することができる。
【００１７】
また、この発明の態様として、前記医療機器を歯科医療機器とし、前記判定部は、前記歯科医療機器の制御または状態に関連する前記関連情報と前記診療判定条件に基づいて、歯科診療の実施を判定するものであってもよい。  
この発明により、情報処理装置は、歯科診療における診療行為を、歯科診療機器に関する関連情報に基づいて知ることができ、歯科診療に応じた様々なサービスの提供を容易にすることができる。
【００１８】
また、この発明の態様として、前記判定部は、前記歯科診療の実施を、さらに歯科診療における予防診療、治療、あるいは手術のいずれかと判定するものであってもよい。  
この発明により、情報処理装置は、予防診療、治療、あるいは手術で使用する歯科診療機器の制御または状態に関連する関連情報に基づいて、歯科診療の実施を、さらに詳細に判定することができる。
【００１９】
また、この発明の態様として、前記関連情報は、診療台の動作に関連する情報、オペレーティングライトの点灯に関連する情報、ハンドピースの動作に関連する情報、スケーラの動作に関連する情報、ハンドピースライトの点灯に関連する情報、バキュームの動作に関連する情報、レーザ機器の動作に関連する情報、レントゲン機器の動作に関連する情報、あるいはオートクレーブの動作に関連する情報のいずれかであってもよい。  
この発明により、情報処理装置は、既存の医療機器の動作に関連する関連情報に基づいて、診療の実施を判定できるため、医療機器にさらなるハードウェアを追加することを不要にできる。
【００２０】
また、この発明の態様として、前記関連情報は、診療台の状態に関連する情報、前記医療機器の開閉蓋または開閉扉の開閉状態に関連する情報、前記医療機器の接続状態に関連する情報、電圧値の変化に基づいた前記医療機器の状態に関連する情報、電流値の変化に基づいた前記医療機器の状態に関連する情報、温度変化に基づいた前記医療機器の状態に関連する情報、前記医療機器の載置状態に関連する情報、前記医療機器の水管路の水圧に関する情報、前記医療機器の水管路の流量に関する情報、前記医療機器の空気管路の気圧に関する情報、あるいは前記医療機器の油管路の油圧に関する情報のいずれかであってもよい。
【００２１】
この発明により、情報処理装置は、例えば、既存の医療機器の状態に関連する関連情報に基づいて、診療の実施を判定できるため、医療機器にさらなるハードウェアを追加することを不要にできる。
【００２２】
また、この発明の態様として、前記関連情報は、前記医療機器を識別する機器識別情報が付与されたものであり、前記判定部は、前記機器識別情報が付与された複数の前記関連情報が前記診療判定条件を満足する場合、前記複数の関連情報を、前記機器識別情報に対応する前記医療機器による診療の実施と判定するものであってもよい。  
この発明により、情報処理装置は、医療従事者による診療行為をより精度よく知ることができる。
【００２３】
また、この発明は、医療機器に関する各種情報を処理する情報処理システムであって、前記医療機器の制御または状態を検知する制御装置と、前記医療機器の制御または状態に関連する関連情報を取得する上記情報処理装置とを備えたことを特徴とする。
【００２４】
この発明により、情報処理システムは、複数の関連情報が診療行為によるものであるかを判定できるため、医療従事者が行った診療行為を、例えば、遠隔地であっても知ることができる。
【００２５】
また、この発明は、医療機器に関する各種情報を処理する装置を用いた情報処理方法であって、前記医療機器の制御または状態に関連する関連情報を取得する取得工程と、複数の前記関連情報が、診療行為の判定条件である診療判定条件を満足する場合、前記複数の関連情報を診療の実施と判定する判定工程とを備えたことを特徴とする。
【００２６】
この発明により、情報処理方法は、複数の関連情報が診療行為によるものであるかを判定できるため、医療従事者が行った診療行為を、例えば、遠隔地であっても知ることができる。
【発明の効果】
【００２７】
本発明により、医療従事者が行った診療行為を、医療機器に関する各種情報に基づいて判定でき、診療行為に応じた様々なサービスの提供を容易にする情報処理装置、情報処理システム、及び情報処理方法を提供することができる。
【図面の簡単な説明】
【００２８】
【図１】支援システムの概略構成を示す構成図。
【図２】支援システムの内部構成を示すブロック図。
【図３】給排水部を説明する概略図。
【図４】情報テーブルを説明する説明図。
【図５】管理テーブルを説明する説明図。
【図６】判定テーブルを説明する説明図。
【図７】診療の際に使用される機器を説明する説明図。
【図８】管理システムにおける処理動作を示すシーケンス図。
【図９】情報送信処理における処理動作を示すフローチャート。
【図１０】管理テーブル登録処理における処理動作を示すフローチャート。
【図１１】第一次診療行為判定処理における処理動作を示すフローチャート。
【図１２】洗浄実施判定処理における処理動作を示すフローチャート。
【図１３】出力データ送信処理における処理動作を示すフローチャート。
【図１４】実績画面を説明する説明図。
【図１５】実績画面を説明する説明図。
【図１６】実施例２における外部サーバーの内部構成を示すブロック図。
【図１７】推定モデルを説明する説明図。
【発明を実施するための形態】
【００２９】
この発明の一実施形態を以下図面と共に説明する。  
【実施例１】
【００３０】
医療における診療において、医療従事者が行った診療を推定して、診療の実施を管理し、医療従事者の業務を支援する情報処理システムについて説明する。この情報処理システムは、医療分野において幅広く適用可能であるが、本実施例では歯科医療の分野を例にして説明する。
【００３１】
より詳しくは、歯科診療において、医療従事者が行った診療を推定して、診療装置４における給排水管路５１の洗浄実績を管理するとともに、診療装置４の稼働実績、及び給排水管路５１の洗浄実績を医療従事者に通知して、医療従事者の業務を支援する情報処理システムである支援システム１について、図１から図６を用いて説明する。
【００３２】
なお、図１は支援システム１の構成図を示し、図２は支援システム１のブロック図を示し、図３は給排水部４５を説明する概略図を示し、図４は情報テーブル８１１を説明する説明図を示し、図５は管理テーブル８１２を説明する説明図を示し、図６は判定テーブル８１４を説明する説明図を示している。
【００３３】
支援システム１は、図１及び図２に示すように、歯科診療を行う診療所２において、通信回線３を介して通信可能に接続された複数の診療装置４、及び１つの管理装置６と、診療所２から離れた遠隔地において、診療所２の管理装置６に通信回線７を介して通信可能に接続された外部サーバー８とで構成されている。  
なお、診療所２の診療装置４と管理装置６とを接続する通信回線３を有線回線または無線回線とし、管理装置６と外部サーバー８とを接続する通信回線７を有線回線とする。
【００３４】
複数の診療装置４は、図１及び図２に示すように、歯科診療に用いられる装置であって、予防診療を行うブースに設置された診療装置４ａと、治療を行うブースに設置された診療装置４ｂと、手術を行うブースに設置された診療装置４ｃとで構成されている。
【００３５】
この診療装置４は、図１及び図２に示すように、患者が着席するチェアユニット４１と、患者の口腔内を照らすオペレーティングライト４２と、唾液や冷却水等の吸引装置やうがいを行うための装置を一体的に設けたベースンユニット４３と、施術に用いる複数の診療機器４４と、診療に伴う給排水のための給排水部４５と、医療従事者に対して各種情報を表示する表示部４６と、医療従事者の各種操作を受付ける操作部４７と、各種情報を記憶する記憶部４８と、通信回線３に接続する通信部４９と、これらの動作を制御する診療制御部５０とを備えている。
【００３６】
換言すると、診療装置４は、医療従事者や患者が使用する医療機器として、チェアユニット４１、オペレーティングライト４２、ベースンユニット４３、複数の診療機器４４、及び給排水部４５を備え、医療機器の動作を制御する、または／および医療機器の状態を示す情報を取得する制御装置として、診療制御部５０を備えている。
【００３７】
具体的には、診療装置４のチェアユニット４１は、患者が着席する診療椅子部と、診療椅子部を下方から支持するとともに、診療椅子部を昇降させる昇降部と、診療椅子部の昇降位置を検知する検知部、診療椅子部の背もたれの傾倒状態を検知する検知部などで構成されている。
【００３８】
本実施例では、チェアユニット４１は、昇降範囲における下方の範囲を着席位置とし、昇降範囲における上方の範囲を診療位置として検知するものとするが、これに限定せず、さらに、昇降範囲における下方の範囲において、診療椅子部における背もたれが起立した状態を着席位置とし、昇降範囲における上方の範囲において、診療椅子部における背もたれが倒れた状態を診療位置としてもよい。
【００３９】
なお、上述した診療椅子部の昇降位置、及び背もたれの傾倒状態の検知が変化する状況とは、医療従事者によって患者が診療される際に、患者を診療位置となるように昇降部などが制御された場合が考えらえる。これより、当該状況の変化は、歯科診療の開始または終了の何れかにおいて発生する傾向がある。また、それらの状況変化は、短い期間において連続して発生する傾向がある。
【００４０】
また、診療装置４のオペレーティングライト４２は、詳細な図示を省略するが、チェアユニット４１に隣接して設置され、医療従事者の操作によって、点灯と消灯とを切換え可能に構成されている。  
なお、オペレーティングライト４２が点灯される状況とは、医療従事者が患者を診療する際、つまり、患者が診療位置にある状態で患者の歯牙を治療する際に、患者の治療カ所を照らす場合が考えらえる。これより、オペレーティングライト４２は、治療中に点灯される傾向がある。
【００４１】
また、診療装置４のベースンユニット４３は、詳細な図示を省略するが、チェアユニット４１に隣接して設置され、うがい鉢４３ａ（図３参照）、うがい用コップ４３ｂ（図３参照）を載置するコップ載置部、うがい用コップ４３ｂに水を供給する給水口４３ｃ（図３参照）、及びコップ載置部に載置されたうがい用コップ４３ｂを検知する検知部などで構成されている。
【００４２】
なお、給水口４３ｃが開口され、うがい用コップ４３ｂの載置状況の変化が検知部によって検知される状況は、特に、医療従事者による患者の歯牙の治療が終了した後に、患者が口腔内を洗浄するときである。  
具体的には、治療が終了したときに、助手が給水口４３ｃを開口し患者がコップ載置部のうがい用コップ４３ｂを手にとって水を汲み、口へ運んで口腔内を洗浄した後に再度コップ載置部へうがい用コップ４３ｂを載置するような場合が考えられる。これより、当該状況の変化は、治療終了直後に発生する傾向がある。また、それらの状況変化は短い期間において連続して発生する傾向がある。
【００４３】
さらに、ベースンユニット４３は、後述する給排水部４５の排水タンク４５７、及び補水タンク４５４を着脱自在に格納するとともに、補水タンク４５４に排水管路４５２のチューブ４５２ａを装着するために開閉される開閉扉（図示省略）が設けられている。加えて、ベースンユニット４３は、開閉扉の開閉状態を検知する検知部を備えている。
【００４４】
なお、開口扉の開閉状態の変化を検知部が検知する状況は、医療従事者が後述するハンドピース４４ａを洗浄する際、補水タンク４５４へ水を補充したり洗剤を含めたりする場合が考えられる。これより、当該状況の変化は洗浄される際に発生する傾向がある。
【００４５】
また、診療装置４の複数の診療機器４４は、詳細な図示を省略するが、歯科診療過程で用いられる医療用施術機器や診療補助機器などの機器類であって、例えば、ハンドピース４４ａ（図３参照）、バキューム４４ｂ（図３参照）、スケーラ、インプラント用ドリル、医療用レーザ、及びうがい用コップ４３ｂなどで構成されている。  
なお、ハンドピース４４ａなどが駆動制御される状況は、医療従事者が患者の歯牙を治療する場合が考えらえる。これより、当該状況は治療がなされる際に発生する傾向がある。
【００４６】
また、診療装置４の給排水部４５は、図３に示すように、歯科診療のために供給される水が流動する給水管路４５１と、うがいに用いた水や唾液などの排水が流動する排水管路４５２と、給水管路４５１を洗浄するための洗浄水タンク４５３と、排水管路４５２を洗浄するための補水タンク４５４などで構成されている。
【００４７】
より詳しくは、給排水部４５の給水管路４５１は、図３に示すように、上流側が水道管４５５に接続され、下流側がハンドピース４４ａ、及びベースンユニット４３の給水口４３ｃに接続され、その間に水道水を浄化する浄水器４５６が配置されている。すなわち、給排水部４５には、水道管４５５からハンドピース４４ａの内部、及びベースンユニット４３の給水口４３ｃの先端に至る給水経路（給水管系）が構成されている。  
なお、この給水管路４５１のうち、ハンドピース４４ａに接続される上流側部分は、ハンドピース４４ａに着脱自在なチューブ４５１ａで構成されている。
【００４８】
さらに、給水管路４５１には、浄水器４５６よりも上流側に、医療従事者の操作によって開閉可能な第１開閉弁Ｖ１と、浄水器４５６よりも下流側に、医療従事者の操作によって開閉可能な第２開閉弁Ｖ２とが配置されている。なお、第１開閉弁Ｖ１は、使用時に常に開放され、第２開閉弁Ｖ２は、給水管路４５１を洗浄する際に閉弁されるものとする。  
なお、第２開閉弁Ｖ２の変化状況は、医療従事者が洗浄する際に発生する場合が考えられる。これより、当該状況は洗浄がなされる際に発生する傾向がある。
【００４９】
給排水部４５の排水管路４５２は、図３に示すように、上流側がうがい鉢４３ａの排水口、及びバキューム４４ｂに接続され、下流側が排水を貯留する排水タンク４５７が接続され、バキューム４４ｂと排水タンク４５７との間に、後述する診療制御部５０によって制御される吸引のためのバキュームユニット４５８が配置されている。すなわち、給排水部４５には、うがい鉢４３ａの排水口、及びバキューム４４ｂの先端から排水タンク４５７の内部に至る排水経路（排水管系）が構成されている。  
なお、排水管路４５２のうち、バキューム４４ｂに接続される上流側部分は、バキューム４４ｂに着脱自在なチューブ４５２ａで構成されている。
【００５０】
給排水部４５の洗浄水タンク４５３は、図３に示すように、給水管路４５１を洗浄するための洗浄水が貯留されたタンクであって、第２開閉弁Ｖ２よりも下流の給水管路４５１に、医療従事者の操作によって開閉可能な第３開閉弁Ｖ３を介して接続されている。  
さらに、洗浄水タンク４５３には、洗浄水を汲み上げて、給水管路４５１に供給するための給水ポンプ４５３ａが一体的に配置されている。  
なお、給水ポンプ４５３ａの駆動や、第３開閉弁Ｖ３の変化状況は、医療従事者が洗浄する際に発生する場合が考えられる。これより、当該状況は洗浄がなされる際に発生する傾向がある。
【００５１】
給排水部４５の補水タンク４５４は、図３に示すように、排水管路４５２を洗浄するための洗浄水が貯留されるタンクであって、ベースンユニット４３に格納されている。この補水タンク４５４は、洗浄時以外には、排水管路４５２のチューブ４５２ａが接続されていない。
【００５２】
そして、給排水部４５は、上述した給水管路４５１と排水管路４５２とで給排水管路５１を構成し、上述した洗浄水タンク４５３と第３開閉弁Ｖ３とバキュームユニット４５８と補水タンク４５４と、給水ポンプ４５３ａ及びバキュームユニット４５８の動作を制御する診療制御部５０とで給排水管路５１を洗浄する洗浄装置５２を構成している。  
なお、給排水部４５の洗浄装置５２としての診療制御部５０は、給排水管路５１の洗浄のために検知されるベースンユニット４３の開閉扉の開閉状態を示す情報を取得する機能と、コップ載置部へのうがい用コップ４３ｂの載置状態を示す情報を取得する機能とを有しているものとする。
【００５３】
このような給排水管路５１は、洗浄の際、医療従事者によって、第２開閉弁Ｖ２、及び第３開閉弁Ｖ３を開閉状態が切換えられるとともに、給水管路４５１のチューブ４５１ａ、及び排水管路４５２のチューブ４５２ａの接続状態が切換えられる。
【００５４】
より詳しくは、給水管路４５１は、洗浄の際、医療従事者の操作によって第２開閉弁Ｖ２が閉じられ、第３開閉弁Ｖ３が開放される。さらに、給水管路４５１は、図３の二点鎖線で示したように、チューブ４５１ａがハンドピース４４ａから取り外され、うがい鉢４３ａに洗浄水が排出されるように、チューブ４５１ａの先端が配置される。  
一方、排水管路４５２は、図３の二点鎖線で示したように、洗浄の際、チューブ４５２ａがバキューム４４ｂから取り外され、その先端が補水タンク４５４に接続される。
【００５５】
そして、給排水部４５は、洗浄水タンク４５３の洗浄水が、給水ポンプ４５３ａによって給水管路４５１内を流動し、補水タンク４５４の洗浄水が、バキュームユニット４５８によって排水管路４５２内を流動することで、給排水管路５１を洗浄するよう構成されている。
【００５６】
また、診療装置４の表示部４６は、図１及び図２に示すように、チェアユニット４１に隣接して配設されたトレーテーブル５３に一体的に設けられた液晶ディスプレイなどで構成され、電子カルテなどの診療に関する各種情報を表示する機能を有している。
【００５７】
また、診療装置４の操作部４７は、図１及び図２に示すように、チェアユニット４１に隣接して配設されたトレーテーブル５３に一体的に設けられた操作パネル４７ａ、及び床面に配設されたフットペダル４７ｂなどで構成されている。  
この操作部４７は、医療従事者によるチェアユニット４１を昇降させる操作、オペレーティングライト４２を点灯または消灯させる操作、ハンドピース４４ａなどの診療機器４４を動作させる操作、あるいは給排水部４５の洗浄装置５２を動作させる操作などを受付ける機能を有している。
【００５８】
また、診療装置４の記憶部４８は、ハードディスクドライブやソリッドステートドライブなどで構成され、診療に関する各種情報を書き込んで記憶する機能と、診療に関する各種情報を読み出す機能とを有している。  
この記憶部４８には、図２に示すように、診療装置４を識別する固有の識別コードを示す情報と、診療ブースに対応する診療装置４の用途種別である「予防診療」、「治療」、または「手術」のいずれか１つを示す情報とを関連付けた装置識別情報４８ａが記憶されている。
【００５９】
また、診療装置４の通信部４９は、有線ＬＡＮコネクタが接続される有線ＬＡＮカードや、無線ＬＡＮに接続される無線ＬＡＮ子機などで構成され、通信回線３に接続する機能と、通信回線３を介して各種情報を受送信する機能を有している。なお、通信部４９は、有線または無線ＬＡＮカード機能が組み込まれた制御基板で構成されてもよい。
【００６０】
診療装置４の診療制御部５０は、ＣＰＵやメモリなどのハードウェアと、システムプログラムなどのソフトウェアとで構成され、日時を管理する機能と、医療従事者による操作に対する各種処理機能と、上述した各部の動作を制御する機能とを有している。
【００６１】
例えば、診療制御部５０は、例えば、ハンドピース４４ａ、バキューム４４ｂ、スケーラ、インプラント用ドリル、及び医療用レーザなどの医療用施術機器である診療機器４４の動作を制御する機能や、診療機器４４を動作させる制御信号、診療機器４４の状態に関する信号に基づいて、診療機器４４についての動作を示す情報または状態を示す情報を生成して管理装置６に送信させる機能などを有している。  
なお、通信部４９がＣＡＮなどの通信回線を介して送受信される、診療機器４４についての動作を示す情報または状態を示す情報をキャプチャして生成し、管理装置６へ送信するようにしてもよい。
【００６２】
さらに、上述したように、診療制御部５０は、給排水管路５１の洗浄のために検知されるベースンユニット４３の開閉扉の開閉状態を示す情報を取得する機能と、コップ載置部へのうがい用コップ４３ｂの載置状態を示す情報を取得する機能とを有しているものとする。
【００６３】
また、診療所２内の管理装置６は、複数の診療装置４に関する各種情報を管理する機能、診療装置４との間で各種情報を授受する機能、及び患者に関する各種情報を医療従事者に提示する機能などを有する装置である。
【００６４】
この管理装置６は、図１及び図２に示すように、各種情報を表示する表示部６１と、複数の診療装置４を管理する管理者や医療従事者による操作を受付ける操作部６２と、各種情報を記憶する記憶部６３と、通信回線３、及び通信回線７に接続された通信部６４と、上述した各部の動作を制御する管理制御部６５とで構成されている。
【００６５】
管理装置６の表示部６１は、ＣＲＴや液晶ディスプレイなどで構成され、電子カルテなどの患者に関する情報、施術者を示す情報、及び診療装置４の維持管理のための各種情報を表示する機能を有している。  
管理装置６の操作部６２は、図１に示すように、キーボード６２ａやマウス６２ｂで構成され、管理者や医療従事者などによる操作を受付ける機能を有している。
【００６６】
管理装置６の記憶部６３は、ハードディスクドライブやソリッドステートドライブなどで構成され、管理装置６及び外部サーバー８から取得した各種情報や医療従事者による入力された各種情報を書き込んで記憶する機能と、各種情報を読み出す機能とを有している。
【００６７】
この記憶部６３には、図２に示すように、電子カルテなどの患者の情報が登録された患者データ６３ａと、患者を治療する施術者の情報が登録された施術者データ６３ｂと、診療装置４や診療機器４４に関する各種設定情報が登録された設定データ６３ｃと、外部サーバー８から取得した出力データ６３ｄが記憶されている。
【００６８】
管理装置６の通信部６４は、有線ＬＡＮコネクタが接続される有線ＬＡＮカードや、無線ＬＡＮに接続される無線ＬＡＮ子機などで構成され、通信回線３、及び通信回線７に接続する機能と、通信回線３、及び通信回線７を介して各種情報を受送信する機能を有している。なお、通信部６４は、有線または無線ＬＡＮカード機能が組み込まれた制御基板で構成されてもよい。
【００６９】
管理装置６の管理制御部６５は、ＣＰＵやメモリなどのハードウェアと、システムプログラムなどのソフトウェアとで構成され、医療従事者や管理者による操作に対する各種処理機能と、外部サーバー８に対して送信された診療装置４からの各種情報を中継して送信させる機能と、上述した各部の動作を制御する機能とを有している。
【００７０】
また、外部サーバー８は、管理装置６を介して、診療装置４から取得した各種情報を処理する機能、及び取得した各種情報に基づいて、医療従事者の業務を支援する機能などを有する装置である。  
この外部サーバー８は、図２に示すように、各種情報を記憶する記憶部８１と、通信回線７に接続された通信部８２と、これらの動作を制御するサーバー制御部８３とで構成されている。
【００７１】
具体的には、外部サーバー８の記憶部８１は、ハードディスクドライブやソリッドステートドライブなどで構成され、各種情報を書き込んで記憶する機能と、各種情報を読み出す機能とを有している。  
この記憶部８１には、図２に示すように、管理装置６から取得した各種情報が登録された情報テーブル８１１と、診療装置４の管理に関する各種情報が登録された管理テーブル８１２と、管理テーブル８１２に基づいて生成された出力データ８１３とが、診療所２の診療装置４ごとに記憶されている。
【００７２】
つまり、記憶部８１には、診療装置４の用途種別である「予防診療」、「治療」、または「手術」にそれぞれ対応する情報として、情報テーブル８１１、管理テーブル８１２、及び出力データ８１３が記憶されている。  
さらに、記憶部８１には、図２に示すように、後述する診療実施推定処理で用いられる診療判定条件が登録された判定テーブル８１４が記憶されている。
【００７３】
上述した情報テーブル８１１は、図４に示すように、チェアユニット４１、オペレーティングライト４２、ベースンユニット４３の開閉扉、診療機器４４、及び給排水部４５の洗浄装置５２の動作や状態に関する各種情報が、日時順に関連付けて登録されている。  
より詳しくは、情報テーブル８１１は、図４に示すように、日付欄、時刻欄、期間欄、機器欄、及び状態欄で構成されている。
【００７４】
日付欄には、診療装置４から取得した後述する時間情報に基づいて、オペレーティングライト４２、診療機器４４、または給排水部４５の洗浄装置５２が動作した日付、あるいはチェアユニット４１、ベースンユニット４３の開閉扉、ユーザ操作可能な洗浄モードスイッチ、複数のハンドピース４４ａのピックアップ、または診療機器４４の状態などが検知された日付が登録されている。
【００７５】
時刻欄には、診療装置４から取得した後述する時間情報に基づいて、オペレーティングライト４２、診療機器４４、または給排水部４５の洗浄装置５２が動作した時刻、あるいはチェアユニット４１、ベースンユニット４３の開閉扉、ユーザ操作可能な洗浄モードスイッチ、複数のハンドピース４４ａのピックアップ、または診療機器４４の状態などが検知された時刻が登録されている。
【００７６】
期間欄には、診療装置４から取得した後述する時間情報に基づいて、診療機器４４が動作した時間間隔である期間が登録されている。  
機器欄には、診療装置４から取得した後述する機器識別情報に基づいて、チェアユニット４１、オペレーティングライト４２、ベースンユニット４３、診療機器４４、または給排水部４５の洗浄装置５２を示す情報などが登録されている。
【００７７】
状態欄には、診療装置４から取得した後述する動作情報に基づいて、オペレーティングライト４２、診療機器４４、または給排水部４５の洗浄装置５２の動作を示す情報などが登録される、あるいは診療装置４から取得した後述する状態情報に基づいて、チェアユニット４１、ベースンユニット４３の開閉扉、または診療機器４４の検知された状態を示す情報などが登録されている。
【００７８】
また、管理テーブル８１２は、図５に示すように、診療の実施回数と、給排水管路５１の洗浄実施の有無とが、一日ごとに関連付けて登録されている。  
より詳しくは、管理テーブル８１２は、図５に示すように、日付が登録される日付欄と、後述する管理テーブル登録処理において算出された診療の実施回数を示す情報が登録される診療回数欄と、後述する管理テーブル登録処理において判定された給排水管路５１の洗浄実施を示す情報が登録される洗浄実施欄とで構成されている。
【００７９】
また、出力データ８１３は、診療装置４の稼働実績、及び給排水管路５１の洗浄実績などを、管理装置６の表示部６１に表示させるための実績情報である。この出力データ８１３については、後ほど詳しく説明する。  
判定テーブル８１４は、図６に示すように、医療従事者が行った診療行為の判定条件である診療判定条件が、診療装置４の用途種別である「予防診療」、「治療」、及び「手術」ごとに登録されている。
【００８０】
より詳しくは、判定テーブル８１４は、図６に示すように、診療装置４の用途種別である「予防診療」、「治療」、あるいは「手術」のいずれかが登録された用途欄と、用途欄の用途種別に応じた診療機器４４の使用順序が登録された機器欄と、機器欄に登録された診療機器４４の動作期間の下限値が登録された機器欄とで構成されている。
【００８１】
外部サーバー８の通信部８２は、有線ＬＡＮコネクタが接続される有線ＬＡＮカードなどで構成され、通信回線７に接続する機能と、通信回線７を介して各種情報を受送信する機能を有している。  
なお、通信部８２は、有線ＬＡＮカード機能が組み込まれた制御基板で構成されてもよい。  
【００８２】
外部サーバー８のサーバー制御部８３は、ＣＰＵやメモリなどのハードウェアと、システムプログラムなどのソフトウェアとで構成され、上述した各部の動作を制御する機能を有している。  
さらに、サーバー制御部８３は、診療の実施、給排水管路５１の洗浄実施、及び給排水管路５１の洗浄要否を判定する機能と、給排水管路５１の洗浄に関する情報を所定タイミングで出力する機能とを有している。  
なお、診療の実施、給排水管路５１の洗浄実施、及び給排水管路５１の洗浄要否と判定するとは、確実な判定結果が得られる判定だけでなく、可能性を含む判定結果が得られる判定、すなわち推定や予想を含むものとする。
【００８３】
引き続き、上述した構成の支援システム１における処理動作の一例について、図７から図１５を用いて説明する。  
また、図７は診療の際に使用される機器を説明する説明図を示し、図８は支援システム１のシーケンス図を示し、図９は情報送信処理のフローチャートを示し、図１０は管理テーブル登録処理のフローチャートを示し、図１１は第一次診療行為判定処理のフローチャートを示し、図１２は洗浄実施判定処理のフローチャートを示し、図１３は出力データ送信処理のフローチャートを示し、図１４及び図１５は実績画面Ｓを説明する説明図を示している。
【００８４】
まず、診療所２において、医療従事者が患者を診療する際に使用される診療装置４の機器、機器の動作順序、及び機器の動作時間について、簡単に説明する。患者を診療する際に使用される診療装置４の機器、機器の動作順序、及び機器の動作時間は、診療内容に応じて、その種類と時間間隔が異なる。
【００８５】
例えば、診療内容が「治療」の場合、図７に示すように、患者が着席したチェアユニット４１の診療椅子部が着席位置から診療位置に最初に移動し、その後、オペレーティングライト４２が医療従事者によって点灯される。  
さらに、オペレーティングライト４２が点灯している状態において、バキューム４４ｂとハンドピース４４ａとが交互に、それぞれ診療内容に応じた時間だけ駆動する。  
そして、治療が完了すると、オペレーティングライト４２が医療従事者によって消灯されたのち、チェアユニット４１の診療椅子部が診療位置から着席位置に移動することで、診療が完了する。
【００８６】
このように、医療従事者が患者を診療する際に使用される機器、機器の動作順序、及び機器の動作時間が、診療内容に応じて異なる診療装置４からの各種情報を処理する支援システム１における処理動作の一例について説明する。
【００８７】
なお、本実施例では、医療従事者による診療のための操作が行われた際に、診療装置４が送信する各種情報の一例として、チェアユニット４１の状態に関する情報、オペレーティングライト４２の動作に関する情報、及び診療機器４４の動作に関する情報を用いて説明する。  
さらに、本実施例では、医療従事者による給排水管路５１の洗浄のための操作が行われた際に、診療装置４が送信する各種情報の一例として、うがい用コップ４３ｂの載置に関する情報、ベースンユニット４３の開閉扉に関する情報、及び給排水部４５の洗浄装置５２を動作させる操作に関する情報を用いて説明する。
【００８８】
診療所２において、診療装置４の電源が投入されると、診療装置４は、図８に示すように、チェアユニット４１、オペレーティングライト４２、ベースンユニット４３の開閉扉、診療機器４４、及び給排水部４５の洗浄装置５２を動作させる制御信号、あるいはこれの状態を検知した検知信号に基づいた各種情報を、管理装置６を介して外部サーバー８に送信する情報送信処理を開始する（ステップＳ１０１）。この際、診療装置４の診療制御部５０は、診療装置４、及び診療装置４の用途種別を識別する装置識別情報４８ａを記憶部４８から読み出して、一時記憶する。
【００８９】
具体的には、情報送信処理を開始すると、診療装置４の診療制御部５０は、図９に示すように、チェアユニット４１が検知している診療椅子部の昇降位置が、診療位置であるか否かを判定する（ステップＳ１１１）。  
チェアユニット４１における診療椅子部の昇降位置が診療位置でない場合（ステップＳ１１１：Ｎｏ）、診療制御部５０は、処理を後述するステップＳ１１３に進める。
【００９０】
一方、チェアユニット４１における診療椅子部の昇降位置が診療位置の場合（ステップＳ１１１：Ｙｅｓ）、診療制御部５０は、医療従事者による診療のための操作が行われたものとして、チェアユニット４１の状態に関する情報を、通信部４９、及び管理装置６を介して、外部サーバー８に送信する送信処理を開始する（ステップＳ１１２）。
【００９１】
より詳しくは、診療制御部５０は、診療椅子部の昇降位置が診察位置に位置した時刻を示す時間情報と、診療椅子部の昇降位置が診療位置に位置する状態であることを示す状態情報と、チェアユニット４１を識別する機器識別情報とを、記憶部４８から読み出した装置識別情報４８ａに関連付けるとともに、関連付けた時間情報、状態情報、機器識別情報、及び装置識別情報４８ａを、通信部４９を介して外部サーバー８に送信する。
【００９２】
その後、診療制御部５０は、オペレーティングライト４２を点灯させる医療従事者の操作を受付けたか否かを判定する（ステップＳ１１３）。  
オペレーティングライト４２の点灯操作を受付けていない場合（ステップＳ１１３：Ｎｏ）、診療制御部５０は、処理を後述するステップＳ１１５に進める。
【００９３】
一方、オペレーティングライト４２の点灯操作を受付けた場合（ステップＳ１１３：Ｙｅｓ）、診療制御部５０は、医療従事者による診療のための操作が行われたものとして、オペレーティングライト４２の動作に関する情報を、通信部４９、及び管理装置６を介して、外部サーバー８に送信する送信処理を開始する（ステップＳ１１４）。
【００９４】
より詳しくは、診療制御部５０は、オペレーティングライト４２の点灯操作を受付けた時刻を示す時間情報と、オペレーティングライト４２の点灯を示す動作情報と、オペレーティングライト４２を識別する機器識別情報とを、記憶部４８から読み出した装置識別情報４８ａに関連付けるとともに、関連付けた時間情報、動作情報、機器識別情報、及び装置識別情報４８ａを、通信部４９を介して外部サーバー８に送信する。
【００９５】
その後、診療制御部５０は、診療機器４４を駆動させる医療従事者の操作を受付けたか否かを判定する（ステップＳ１１５）。  
診療機器４４の駆動操作を受付けていない場合（ステップＳ１１５：Ｎｏ）、診療制御部５０は、処理を後述するステップＳ１１７に進める。
【００９６】
一方、診療機器４４の駆動操作を受付けた場合（ステップＳ１１５：Ｙｅｓ）、診療制御部５０は、医療従事者による診療のための操作が行われたものとして、診療機器４４の動作に関する情報を、通信部４９、及び管理装置６を介して、外部サーバー８に送信する送信処理を開始する（ステップＳ１１６）。この際、診療制御部５０は、診療機器４４が駆動している時間間隔である期間も算出する。
【００９７】
より詳しくは、診療制御部５０は、診療機器４４の駆動操作を受付けた時刻、及び診療機器４４が駆動した期間を示す時間情報と、診療機器４４の動作を示す動作情報と、診療機器４４を識別する機器識別情報とを、記憶部４８から読み出した装置識別情報４８ａに関連付けるとともに、関連付けた時間情報、動作情報、機器識別情報、及び装置識別情報４８ａを、通信部４９を介して外部サーバー８に送信する。
【００９８】
その後、診療制御部５０は、オペレーティングライト４２を消灯させる医療従事者の操作を受付けたか否かを判定する（ステップＳ１１７）。  
オペレーティングライト４２の消灯操作を受付けていない場合（ステップＳ１１７：Ｎｏ）、診療制御部５０は、処理を後述するステップＳ１１９に進める。
【００９９】
一方、オペレーティングライト４２の消灯操作を受付けた場合（ステップＳ１１７：Ｙｅｓ）、診療制御部５０は、医療従事者による診療完了のための操作が行われたものとして、オペレーティングライト４２の動作に関する情報を、通信部４９、及び管理装置６を介して、外部サーバー８に送信する送信処理を開始する（ステップＳ１１８）。
【０１００】
より詳しくは、診療制御部５０は、オペレーティングライト４２の消灯操作を受付けた時刻を示す時間情報と、オペレーティングライト４２の消灯を示す動作情報と、オペレーティングライト４２を識別する機器識別情報とを、記憶部４８から読み出した装置識別情報４８ａに関連付けるとともに、関連付けた時間情報、動作情報、機器識別情報、及び装置識別情報４８ａを、通信部４９を介して外部サーバー８に送信する。
【０１０１】
その後、診療制御部５０は、チェアユニット４１における診療椅子部の昇降位置が着席位置か否かを判定する（ステップＳ１１９）。  
チェアユニット４１における診療椅子部の昇降位置が着席位置でない場合（ステップＳ１１９：Ｎｏ）、診療制御部５０は、処理を後述するステップＳ１２１に進める。
【０１０２】
一方、チェアユニット４１における診療椅子部の昇降位置が着席位置の場合（ステップＳ１１９：Ｙｅｓ）、診療制御部５０は、医療従事者による診療完了のための操作が行われたものとして、チェアユニット４１の状態に関する情報を、通信部４９、及び管理装置６を介して、外部サーバー８に送信する送信処理を開始する（ステップＳ１２０）。
【０１０３】
より詳しくは、診療制御部５０は、診療椅子部の昇降位置が着席位置に位置した時刻を示す時間情報と、診療椅子部の昇降位置が着席位置に位置する状態であることを示す状態情報と、チェアユニット４１を識別する機器識別情報とを、記憶部４８から読み出した装置識別情報４８ａに関連付けるとともに、関連付けた時間情報、状態情報、機器識別情報、及び装置識別情報４８ａを、通信部４９を介して外部サーバー８に送信する。
【０１０４】
その後、診療制御部５０は、うがい用コップ４３ｂの載置をベースンユニット４３が検知しているか否かを判定する（ステップＳ１２１）。  
うがい用コップ４３ｂの載置をベースンユニット４３が検知していない場合（ステップＳ１２１：Ｎｏ）、診療制御部５０は、処理を後述するステップＳ１２３に進める。
【０１０５】
一方、うがい用コップ４３ｂの載置をベースンユニット４３が検知している場合（ステップＳ１２１：Ｙｅｓ）、診療制御部５０は、うがい用コップ４３ｂの載置を検知した時刻を示す時間情報と、うがい用コップ４３ｂが載置された状態であることを示す状態情報と、うがい用コップ４３ｂを識別する機器識別情報とを、記憶部４８から読み出した装置識別情報４８ａに関連付けるとともに、関連付けた時間情報、状態情報、機器識別情報、及び装置識別情報４８ａを、通信部４９を介して外部サーバー８に送信する（ステップＳ１２２）。
【０１０６】
その後、診療制御部５０は、開閉扉の開放をベースンユニット４３が検知しているか否かを判定する（ステップＳ１２３）。  
開閉扉の開放をベースンユニット４３が検知していない場合（ステップＳ１２３：Ｎｏ）、診療制御部５０は、処理を後述するステップＳ１２５に進める。
【０１０７】
一方、開閉扉の開放をベースンユニット４３が検知している場合（ステップＳ１２３：Ｙｅｓ）、診療制御部５０は、医療従事者による給排水管路５１の洗浄のための操作が行われたものとして、開閉扉の開放を検知した時刻を示す時間情報と、ベースンユニット４３の開閉扉が開放された状態であることを示す状態情報と、ベースンユニット４３の開閉扉を示す機器識別情報とを、記憶部４８から読み出した装置識別情報４８ａに関連付けるとともに、関連付けた時間情報、状態情報、機器識別情報、及び装置識別情報４８ａを、通信部４９を介して外部サーバー８に送信する（ステップＳ１２４）。
【０１０８】
その後、診療制御部５０は、給排水部４５の洗浄装置５２を動作させる医療従事者の操作を受付けたか否かを判定する（ステップＳ１２５）。  
給排水部４５の洗浄装置５２を動作させる操作を受付けていない場合（ステップＳ１２５：Ｎｏ）、診療制御部５０は、後述するステップＳ１２６の処理をスキップして、処理を進める。
【０１０９】
一方、給排水部４５の洗浄装置５２を動作させる操作を受付けた場合（ステップＳ１２５：Ｙｅｓ）、診療制御部５０は、医療従事者による給排水管路５１の洗浄のための操作が行われたものとして、給排水部４５の洗浄装置５２を動作させる操作を受付けた時刻を示す時間情報と、給排水部４５の洗浄装置５２を動作させる操作を受付けたことを示す動作情報と、給排水部４５の洗浄装置５２を識別する機器識別情報とを、記憶部４８から読み出した装置識別情報４８ａに関連付けるとともに、関連付けた時間情報、動作情報、機器識別情報、及び装置識別情報４８ａを、通信部４９を介して外部サーバー８に送信する（ステップＳ１２６）。  
その後、診療制御部５０は、処理をステップＳ１１１に戻し、診療装置４の電源が切られるまで、ステップＳ１１１からステップＳ１２６の処理を繰り返し実行する。
【０１１０】
図８のステップＳ１０１に戻り、外部サーバー８は、図８に示すように、装置識別情報４８ａで関連付けられた時間情報と、動作情報または状態情報と、機器識別情報とを、診療装置４から受信するたびに、診療装置４から取得した各種情報を情報テーブル８１１に登録する情報テーブル登録処理を開始する（ステップＳ１０２）。  
具体的には、情報テーブル登録処理を開始すると、外部サーバー８のサーバー制御部８３は、診療装置４から取得した装置識別情報４８ａに対応する情報テーブル８１１を記憶部８１から読み出す。
【０１１１】
その後、サーバー制御部８３は、診療装置４から取得した時間情報を、情報テーブル８１１の日付欄、及び時刻欄に登録し、時間情報に関連付けられた機器識別情報を、情報テーブル８１１の機器欄に登録し、時間情報に関連付けられた動作情報または状態情報を、情報テーブル８１１の状態欄に登録する。この際、機器識別情報が診療機器４４の場合、サーバー制御部８３は、診療装置４から取得した時間情報に基づいて、診療機器４４の動作期間を期間欄に登録する。
【０１１２】
情報テーブル登録処理を終了すると、外部サーバー８のサーバー制御部８３は、図８に示すように、情報テーブル８１１に登録された情報に基づいて、医療従事者が行った診療の実施回数と、給排水管路５１の洗浄実績とを、管理テーブル８１２に登録する管理テーブル登録処理を開始する（ステップＳ１０３）。なお、管理テーブル登録処理は、例えば、情報テーブル８１１の日付欄に登録された日付が同一の情報を処理の対象として、１日１回行われるものとする。
【０１１３】
具体的には、管理テーブル登録処理を開始すると、外部サーバー８のサーバー制御部８３は、図１０に示すように、現在の時刻が所定時刻か否かを判定する（ステップＳ１３１）。この所定時刻は、例えば、診療時間外の時間帯に設定されている。  
現在の時刻が所定時刻でない場合（ステップＳ１３１：Ｎｏ）、サーバー制御部８３は、管理テーブル登録処理を終了して、図８のステップＳ１０３に処理を戻す。
【０１１４】
一方、現在の時刻が所定時刻の場合（ステップＳ１３１：Ｙｅｓ）、サーバー制御部８３は、「予防診療」に対応する情報テーブル８１１、「治療」に対応する情報テーブル８１１、または「手術」に対応する情報テーブル８１１のいずれかを記憶部８１から読み出す（ステップＳ１３２）。  
その後、サーバー制御部８３は、外部サーバー８からみて遠隔地である診療所２において、医療従事者が行った診療行為を判定する第一次診療行為判定処理を開始する（ステップＳ１３３）。
【０１１５】
第一次診療行為判定処理を開始すると、サーバー制御部８３は、図１１に示すように、情報テーブル８１１の機器欄を登録順に参照して、機器欄に登録された機器識別情報がチェアユニット４１を示す機器識別情報で、かつ状態欄に登録された状態情報が診療位置であるか否かを判定する（ステップＳ１５１）。
【０１１６】
チェアユニット４１の状態情報が診療位置の場合（ステップＳ１５１：Ｙｅｓ）、サーバー制御部８３は、情報テーブル８１１の機器欄を参照して、チェアユニット４１を示す機器識別情報の次に登録された機器識別情報が、オペレーティングライト４２を示す機器識別情報で、かつ状態欄に登録された動作情報が、オペレーティングライト４２の点灯であるか否かを判定する（ステップＳ１５２）。
【０１１７】
オペレーティングライト４２の動作情報が点灯である場合（ステップＳ１５２：Ｙｅｓ）、サーバー制御部８３は、情報テーブル８１１の機器欄を参照して、オペレーティングライト４２を示す機器識別情報の次に登録された機器識別情報が、診療機器４４を示す機器識別情報か否かを判定する（ステップＳ１５３）。
【０１１８】
機器欄に診療機器４４を示す機器識別情報が登録されている場合（ステップＳ１５３：Ｙｅｓ）、サーバー制御部８３は、機器欄の診療機器４４に関連付けられた情報テーブル８１１の時刻欄、及び期間欄を参照して、時刻欄、及び機器欄に登録された情報と、機器欄に登録された診療機器４４を示す機器識別情報とを関連付けて一時記憶する（ステップＳ１５４）。
【０１１９】
その後、サーバー制御部８３は、情報テーブル８１１の機器欄を参照して、診療機器４４を示す機器識別情報の次に登録された機器識別情報が、オペレーティングライト４２を示す機器識別情報で、かつ状態欄に登録された動作情報が、オペレーティングライト４２の消灯であるか否かを判定する（ステップＳ１５５）。
【０１２０】
オペレーティングライト４２の動作情報が消灯でない場合（ステップＳ１５５：Ｎｏ）、サーバー制御部８３は、処理をステップＳ１５３に戻す。  
一方、オペレーティングライト４２の動作情報が消灯の場合（ステップＳ１５５：Ｙｅｓ）、サーバー制御部８３は、情報テーブル８１１の機器欄を参照して、オペレーティングライト４２を示す機器識別情報の次に登録された機器情識別報が、チェアユニット４１を示す機器識別情報で、かつ状態欄に登録された状態情報が着席位置であるか否かを判定する（ステップＳ１５６）。
【０１２１】
チェアユニット４１の状態情報が着席位置でない場合（ステップＳ１５６：Ｎｏ）、サーバー制御部８３は、処理をステップＳ１５３に戻す。  
一方、チェアユニット４１の状態情報が着席位置の場合（ステップＳ１５６：Ｙｅｓ）、サーバー制御部８３は、ステップＳ１５４で一時記憶した複数の時間情報、及び機器識別情報が、診療の実施を判定するための診療判定条件を満足するか否かを判定する（ステップＳ１５７）。
【０１２２】
より詳しくは、サーバー制御部８３は、情報テーブル８１１の用途種別に対応する判定テーブル８１４の機器欄、及び期間欄に登録された情報と、一時記憶した診療機器４４の複数の時間情報、及び機器識別情報とを対比する。
【０１２３】
そして、一時記憶した機器識別情報の記憶順序が、判定テーブル８１４の機器欄に登録された使用順序に一致し、かつ一時記憶した時間情報が、判定テーブル８１４の時期欄に登録された動作期間の下限値を満足する場合（ステップＳ１５７：Ｙｅｓ）、サーバー制御部８３は、ステップＳ１５４で一時記憶した複数の時間情報、及び機器識別情報を、医療従事者による診療が実施された際に送信された情報として、医療従事者による診療が実施されたと判定し、これを一次判定結果とする（ステップＳ１５８）。  
その後、サーバー制御部８３は、第一次診療行為判定処理を終了して、図１０のステップＳ１３３に処理を戻す。
【０１２４】
一方、ステップＳ１５７において、一時記憶した機器識別情報の記憶順序が、判定テーブル８１４の機器欄に登録された使用順序に一致しない、または／および一時記憶した時間情報が、判定テーブル８１４の時期欄に登録された動作期間の下限値を満足しない場合（ステップＳ１５７：Ｎｏ）、サーバー制御部８３は、医療従事者による診療が実施されていないと判定し、これを一次判定結果とする（ステップＳ１５９）。その後、サーバー制御部８３は、第一次診療行為判定処理を終了して、図１０のステップＳ１３３に処理を戻す。
【０１２５】
なお、図１１のステップＳ１５１において、チェアユニット４１の状態情報が診療位置でない場合（ステップＳ１５１：Ｎｏ）、ステップＳ１５２において、オペレーティングライト４２の動作情報が点灯でない場合（ステップＳ１５２：Ｎｏ）、または、ステップＳ１５３において、機器欄に診療機器４４を示す機器識別情報が登録されていない場合（ステップＳ１５３：Ｎｏ）、サーバー制御部８３は、処理をステップＳ１５９に進め、医療従事者による診療が実施されていないと判定し、これを一次判定結果とする。その後、サーバー制御部８３は、第一次診療行為判定処理を終了して、図１０のステップＳ１３３に処理を戻す。
【０１２６】
図１０のステップＳ１３３に戻り、第一次診療行為判定処理を終了すると、サーバー制御部８３は、情報テーブル８１１に基づいて、診療装置４の給排水管路５１の洗浄が行われたか否かを判定する洗浄実施判定処理を開始する（ステップＳ１３４）。
【０１２７】
具体的には、洗浄実施判定処理を開始すると、外部サーバー８のサーバー制御部８３は、図１２に示すように、情報テーブル８１１の機器欄を参照して、第一次診療行為判定処理（図１１参照）において、最後に読み出した機器欄の次に登録された機器識別情報が、うがい用コップ４３ｂを示す機器識別情報であるか否か、すなわち、うがい用コップ４３ｂの載置が時間情報として登録されているか否かを判定する（ステップＳ１６１）。
【０１２８】
うがい用コップ４３ｂの載置の時間情報が登録されている場合（ステップＳ１６１：Ｙｅｓ）、サーバー制御部８３は、情報テーブル８１１の機器欄を参照して、うがい用コップ４３ｂを示す機器識別情報の次に登録された機器識別情報が、ベースンユニット４３の開閉扉を示す機器識別情報であるか否か、すなわち、開閉扉の開放が時間情報として登録されているか否かを判定する（ステップＳ１６２）。
【０１２９】
ベースンユニット４３の開閉扉の時間情報が登録されている場合（ステップＳ１６２：Ｙｅｓ）、サーバー制御部８３は、情報テーブル８１１の機器欄を参照して、ベースンユニット４３を示す機器識別情報の次に登録された機器識別情報が、給排水部４５の洗浄装置５２を示す機器識別情報であるか否か、すなわち、給排水部４５の洗浄装置５２を動作させる操作の受付けが時間情報として登録されているか否かを判定する（ステップＳ１６３）。
【０１３０】
給排水部４５の洗浄装置５２の時間情報が登録されている場合（ステップＳ１６３：Ｙｅｓ）、診療装置４の給排水管路５１の洗浄が医療従事者によって実施されたと判定する（ステップＳ１６４）。その後、サーバー制御部８３は、洗浄実施判定処理を終了して、処理を図１０のステップＳ１３４に戻す。
【０１３１】
一方、ステップＳ１６１において、うがい用コップ４３ｂの載置の時間情報が登録されていない場合（ステップＳ１６１：Ｎｏ）、ステップＳ１６２において、ベースンユニット４３の開閉扉の時間情報が登録されていない場合（ステップＳ１６２：Ｎｏ）、及びステップＳ１６３において、給排水部４５の洗浄装置５２の時間情報が登録されていない場合（ステップＳ１６３：Ｎｏ）、サーバー制御部８３は、診療装置４の給排水管路５１の洗浄が医療従事者によって実施されていないと判定したのち（ステップＳ１６５）、洗浄実施推定処理を終了して、処理を図１０のステップＳ１３４に戻す。
【０１３２】
図１０のステップＳ１３４に戻り、洗浄実施判定処理を終了すると、外部サーバー８のサーバー制御部８３は、ステップＳ１３３の第一次診療行為判定処理における一次判定結果と、ステップＳ１３４の洗浄実施判定処理における判定結果とに基づいた判定によって、診療の実施または診療の非実施のいずれかを二次判定結果として得る第二次診療行為判定処理を開始する。
【０１３３】
具体的には、サーバー制御部８３は、ステップＳ１３３における一次判定結果が診療の実施で、かつステップＳ１３４における判定結果が洗浄の非実施であるか否かを判定する（ステップＳ１３５）。  
ステップＳ１３３の一次判定結果が診療の実施で、かつステップＳ１３４の判定結果が洗浄の非実施の場合（ステップＳ１３５：Ｙｅｓ）、サーバー制御部８３は、ステップＳ１３３における一次判定結果を、医療従事者による診療が１回実施されたと判定するとともに、これを１回として計上して一時記憶する（ステップＳ１３６）。
【０１３４】
換言すると、サーバー制御部８３は、装置識別情報４８ａに対応する診療装置４において、装置識別情報４８ａに対応する診療内容の診療が、機器識別情報に対応する診療機器４４などの複数の機器を用いて１回行われたと判定する。
【０１３５】
一方、ステップＳ１３３の一次判定結果が診療の実施で、かつステップＳ１３４の判定結果が洗浄の非実施ではない、すなわち洗浄の実施の場合（ステップＳ１３５：Ｎｏ）、サーバー制御部８３は、ステップＳ１３３における一次判定結果が診療の実施であっても、医療従事者による診療行為ではない診療の非実施と判定する（ステップＳ１３７）。
【０１３６】
その後、サーバー制御部８３は、ステップＳ１３２で読み出した情報テーブル８１１の全データに対して、ステップＳ１３３からステップＳ１３７の処理を行ったか否かを判定する（ステップＳ１３８）。  
全データに対する処理が完了していなければ（ステップＳ１３８：Ｎｏ）、サーバー制御部８３は、処理をステップＳ１３３に戻し、情報テーブル８１１の全データに対する処理が完了するまで、ステップＳ１３３からステップＳ１３７の処理を繰り返す。
【０１３７】
一方、全データに対する処理が完了していれば（ステップＳ１３８：Ｙｅｓ）、サーバー制御部８３は、一時記憶した診療の実施回数の合計を、管理テーブル８１２の診療回数欄に登録するとともに、ステップＳ１３４において給排水管路５１の洗浄実施と判定された場合、管理テーブル８１２の洗浄実施欄に、給排水管路５１の洗浄実施を示す「○」を登録する（ステップＳ１３９）。
【０１３８】
そして、サーバー制御部８３は、「予防診療」に対応する情報テーブル８１１、「治療」に対応する情報テーブル８１１、及び「手術」に対応する情報テーブル８１１に対して、ステップＳ１３３からステップＳ１３９の処理を行ったか否かを判定する（ステップＳ１４０）。
【０１３９】
全ての情報テーブル８１１に対する処理が完了していない場合（ステップＳ１４０：Ｎｏ）、サーバー制御部８３は、次の情報テーブル８１１を記憶部８１から読み出したのち、処理をステップＳ１３３に戻し、全ての情報テーブル８１１に対する処理が完了するまで、ステップＳ１３３からステップＳ１３９の処理を繰り返す。  
一方、全ての情報テーブル８１１に対する処理が完了した場合（ステップＳ１４０：Ｙｅｓ）、サーバー制御部８３は、管理テーブル登録処理を終了して、図８のステップＳ１０３に処理を戻す。
【０１４０】
図８のステップＳ１０３に戻り、管理テーブル登録処理を完了すると、サーバー制御部８３は、所定日数ごとの診療の実施実績と給排水部４５の洗浄実績とを示す出力データ８１３を生成して、診療所２の管理装置６に送信する出力データ送信処理を開始する（ステップＳ１０４）。なお、本実施例では、一例として、一か月ごとに出力データ８１３の生成と、管理装置６への送信を行なうものとする。
【０１４１】
出力データ送信処理を開始すると、外部サーバー８のサーバー制御部８３は、図１３に示すように、現在の日付が所定の日付であるか否かを判定する（ステップＳ１７１）。なお、本実施例では、一例として、所定の日付を月末として説明する。  
現在の日付が月末でない場合（ステップＳ１７１：Ｎｏ）、サーバー制御部８３は、出力データ送信処理を終了して、処理を図８のステップＳ１０４に戻す。
【０１４２】
一方、現在の日付が月末の場合（ステップＳ１７１：Ｙｅｓ）、サーバー制御部８３は、「予防診療」に対応する管理テーブル８１２、「治療」に対応する管理テーブル８１２、及び「手術」に対応する管理テーブル８１２を記憶部８１から読み込む（ステップＳ１７２）。
【０１４３】
その後、サーバー制御部８３は、洗浄実施情報によって示される、直近の洗浄の実施後における診療の実施の回数の合計を算出する。具体的には、サーバー制御部８３は、洗浄実施欄に登録された給排水管路５１の洗浄実施を示す「○」に基づいて、給排水管路５１の洗浄が実施されていない日が連続する期間における診療の実施回数の合計を算出する（ステップＳ１７３）。  
診療の実施回数の合計を算出すると、サーバー制御部８３は、診療の実施回数が、給水管路４５１の洗浄の要否を判定するための閾値である第１判定閾値以下か否かを判定する（ステップＳ１７４）。なお、第１判定閾値は、給水管路４５１の衛生状態を判定可能な診療の実施回数とする。
【０１４４】
ここで、給水管路４５１の衛生状態と第１判定閾値との関係について説明する。給水管路４５１には、洗浄実施時に利用される水だけでなく、医療従事者による診療行為の際に利用される水が供給される。この際、医療従事者による診療行為の回数が少ないほど、給水管路４５１内を水が流動する機会が減るため、給水管路４５１内の水が時間経過とともに劣化することで、給水管路４５１の衛生状態が良好な状態に保たれ難くなる。一方、医療従事者による診療行為の回数が多い場合、給水管路４５１内を水が頻繁に流動するため、給水管路４５１の衛生状態が良好な状態に保たれ易い。つまり、給水管路４５１の衛生状態は、診療の実施回数で判定可能である。このため、給水管路４５１の衛生状態を判定可能な診療の実施回数を、第１判定閾値とする。
【０１４５】
診療の実施回数が第１判定閾値以下の場合（ステップＳ１７４：Ｙｅｓ）、サーバー制御部８３は、給水管路４５１内の水が頻繁に流動していない状態のため、給水管路４５１の洗浄が必要と判定したのち（ステップＳ１７５）、給水管路４５１の洗浄要を示す要否情報と、洗浄要と判定された時期を示す情報とを関連付けて一時記憶する。
【０１４６】
一方、診療の実施回数が第１判定閾値を上回る場合（ステップＳ１７４：Ｎｏ）、サーバー制御部８３は、給水管路４５１内の水が頻繁に流動している状態のため、給水管路４５１の洗浄が不要と判定する（ステップＳ１７６）。  
給水管路４５１の洗浄要否を判定すると、サーバー制御部８３は、診療回数が排水管路４５２の洗浄の要否を判定するための閾値である第２判定閾値以下か否かを判定する（ステップＳ１７７）。なお、第２判定閾値は、排水管路４５２の衛生状態を判定可能な診療の実施回数とする。
【０１４７】
ここで、排水管路４５２の衛生状態と第２判定閾値との関係について説明する。排水管路４５２には、洗浄実施時に利用された水だけでなく、医療従事者による診療行為の際に利用された水が排水される。この際、医療従事者による診療行為の回数が多いほど、患者の血液や不純物などを含む水が排水管路４５２内を頻繁に流動するため、排水管路４５２の衛生状態が良好な状態に保たれ難くなる。一方、医療従事者による診療行為の回数が少ない場合、患者の血液や不純物などを含む水が排水管路４５２内を流動する機会が少ないため、排水管路４５２の衛生状態が良好な状態に保たれ易い。つまり、排水管路４５２の衛生状態は、診療の実施回数で判定可能である。このため、排水管路４５２の衛生状態を判定可能な診療の実施回数を、第２判定閾値とする。  
この第２判定閾値は、例えば、第１判定閾値よりも大きい閾値であるなど、第１判定閾値とは異なる閾値であってもよい。あるいは、第１判定閾値と同じ閾値であってもよい。
【０１４８】
診療の実施回数が第２判定閾値以上の場合（ステップＳ１７７：Ｙｅｓ）、サーバー制御部８３は、排水管路４５２内を排水が頻繁に流動している状態のため、排水管路４５２の洗浄が必要と判定したのち（ステップＳ１７８）、排水管路４５２の洗浄要を示す情報と、洗浄要と判定された時期を示す情報とを関連付けて一時記憶する。
【０１４９】
一方、診療の実施回数が第２判定閾値を下回る場合（ステップＳ１７７：Ｎｏ）、サーバー制御部８３は、排水管路４５２内を排水が頻繁に流動していない状態のため、排水管路４５２の洗浄が不要と判定する（ステップＳ１７９）。
【０１５０】
その後、サーバー制御部８３は、管理テーブル８１２に基づいて、管理装置６の表示部６１に表示させるための出力データ８１３を生成する（ステップＳ１８０）。この際、サーバー制御部８３は、ステップＳ１７１で読込んだ管理テーブル８１２に登録された情報と、管理テーブル８１２に対応する装置識別情報４８ａとを関連付けて出力データ８１３を生成する。
【０１５１】
さらに、サーバー制御部８３は、給水管路４５１の洗浄要を示す要否情報と、給水管路４５１の洗浄要と判定された時期を示す情報とに基づいて、給水管路４５１の洗浄タイミングに関するコメントを生成するとともに、排水管路４５２の洗浄要を示す情報と、排水管路４５２の洗浄要と判定された時期を示す情報とに基づいて、排水管路４５２の洗浄タイミングに関するコメントを生成して、出力データ８１３に登録する。
【０１５２】
このようにして、サーバー制御部８３は、図１４及び図１５に示すように、診療の実施実績と給排水部４５の洗浄実績とを示す実績画面Ｓとして管理装置６の表示部４６に表示させる出力データ８１３を生成する。
【０１５３】
なお、出力データ８１３は、図１４及び図１５に示すように、例えば、月度、及び用途種別が「１月度実績（治療）」のようにタイトルとして、画面上部に表示され、日毎の診療の実施実績、及び給排水管路５１の洗浄実績の一覧が画面中央に表示され、その下部に給排水管路５１の衛生状態に関するコメントが表示された実績画面Ｓを、管理装置６の表示部４６に表示させるデータとする。
【０１５４】
出力データ８１３を生成すると、サーバー制御部８３は、「予防診療」に対応する管理テーブル８１２、「治療」に対応する管理テーブル８１２、及び「手術」に対応する管理テーブル８１２の全てに対して、ステップＳ１７３からステップＳ１８０の処理を行なったか否かを判定する（ステップＳ１８１）。
【０１５５】
全ての管理テーブル８１２に対する処理が完了していない場合（ステップＳ１８１：Ｎｏ）、サーバー制御部８３は、処理をステップＳ１７３に戻して、全ての管理テーブル８１２に対する処理が完了するまで、ステップＳ１７３からステップＳ１８０の処理を繰り返す。
【０１５６】
一方、全ての管理テーブル８１２に対する処理が完了した場合（ステップＳ１８１：Ｙｅｓ）、サーバー制御部８３は、生成した出力データ８１３を、通信部８２を介して管理装置６に送信する（ステップＳ１８２）。その後、サーバー制御部８３は、出力データ送信処理を完了して、処理を図８のステップＳ１０４に戻す。
【０１５７】
図８のステップＳ１０４に戻り、外部サーバー８が送信した出力データ８１３を管理装置６が取得すると、管理装置６の管理制御部６５は、出力データ表示処理を開始して（ステップＳ１０５）、取得した出力データ８１３を出力データ６３ｄとして記憶部６３に記憶する、その後、管理制御部６５は、出力データ６３ｄを実績画面Ｓとして表示部４６に閲覧可能に表示させる。
【０１５８】
このような診療装置４の情報送信処理（図８のステップＳ１０１）と、外部サーバー８の情報テーブル登録処理（図８のステップＳ１０２）、管理テーブル登録処理（図８のステップＳ１０３）、及び出力データ送信処理（図８のステップＳ１０４）と、管理装置６の出力データ表示処理（図８のステップＳ１０５）とは、それぞれ診療装置４、外部サーバー８、及び管理装置６の電源が遮断されるまで、繰返し実行される。
【０１５９】
以上のように、医療機器（チェアユニット４１や診療機器４４など）に関する各種情報を処理する外部サーバー８は、医療機器の制御または状態に関連する関連情報（動作情報、及び状態情報）を取得する通信部８２と、複数の関連情報（動作情報、及び状態情報）が、診療行為の判定条件である診療判定条件を満足する場合、複数の関連情報（動作情報、及び状態情報）を診療の実施と判定するサーバー制御部８３とを備えたことにより、複数の関連情報（動作情報、及び状態情報）が診療行為によるものであるかを判定できるため、医療従事者が行った診療行為を、例えば、遠隔地であっても知ることができる。
【０１６０】
このため、外部サーバー８は、例えば、診療行為に応じた適切な洗浄タイミングの通知、あるいは診療装置４の稼働実績の通知などのように、診療行為に応じた様々なサービスの提供を容易にすることができる。
【０１６１】
また、通信部８２が、医療機器の制御に関連する時間、または状態に関連する時間の情報である医療機器の時間情報が付与された関連情報（動作情報、及び状態情報）を取得するものであり、サーバー制御部８３が、医療機器の時間情報を含む複数の関連情報（動作情報、及び状態情報）が診療判定条件を満足する場合、診療の実施と判定することにより、外部サーバー８は、医療従事者が行った診療行為をより精度よく知ることができる。
【０１６２】
具体的には、医療機器は、診療行為だけでなく、点検や洗浄の際にも動作する。このため、複数の関連情報（動作情報、及び状態情報）を取得しただけでは、診療の実施を精度よく判定できないおそれがある。
【０１６３】
そこで、医療機器の制御に関連する時間、または状態に関連する時間の情報である医療機器の時間情報を含む関連情報（動作情報、及び状態情報）を通信部８２が取得することにより、外部サーバー８は、複数の関連情報（動作情報、及び状態情報）がどの時間の情報であるかを知ることができる。
【０１６４】
そして、医療機器の時間情報を含む複数の関連情報（動作情報、及び状態情報）が診療判定条件を満足する場合、診療の実施と判定するサーバー制御部８３により、外部サーバー８は、診療行為でない行為による複数の関連情報（動作情報、及び状態情報）が、診療の実施と誤判定されることを防止できる。
【０１６５】
これにより、外部サーバー８は、複数の関連情報（動作情報、及び状態情報）が診療行為によるものであるかをより精度よく判定することができる。このため、外部サーバー８は、医療従事者が行った診療行為をより精度よく知ることができる。
【０１６６】
また、サーバー制御部８３が、給排水部４５の洗浄装置５２の制御または状態に関連する洗浄装置５２の時間情報を取得している場合、関連情報（動作情報、及び状態情報）を給排水管路５１の洗浄によるものとして、診療の実施ではないと判定することにより、外部サーバー８は、複数の関連情報（動作情報、及び状態情報）が診療判定条件を満足している場合であっても、洗浄装置５２の時間情報を取得していれば、複数の関連情報（動作情報、及び状態情報）を診療の実施ではないと判定することができる。
【０１６７】
このため、外部サーバー８は、給排水管路５１の洗浄に伴って送信された複数の関連情報（動作情報、及び状態情報）が、診療の実施と誤判定されることを防止できる。これにより、外部サーバー８は、医療従事者が行った診療行為をさらに精度よく知ることができる。
【０１６８】
また、サーバー制御部８３が、洗浄装置５２の時間情報が給排水管路５１の洗浄実施の判定条件である洗浄判定条件を満足する場合、洗浄装置５２の時間情報を給排水管路５１の洗浄実施と判定するものであり、サーバー制御部８３による判定が給排水管路５１の洗浄実施の場合、洗浄装置５２の時間情報に基づいて給排水管路５１の洗浄実績を示す管理テーブル８１２を生成するサーバー制御部８３を備えたことにより、外部サーバー８は、医療従事者が行った診療行為をより一層精度よく知ることができる。
【０１６９】
具体的には、例えば、給排水部４５の洗浄装置５２は、給排水管路５１の洗浄だけでなく、点検などの際にも動作する。このため、外部サーバー８は、給排水管路５１の洗浄装置５２の制御または状態に関連する洗浄装置５２の時間情報を取得しただけでは、給排水管路５１の洗浄を精度よく知ることができない。
【０１７０】
そこで、洗浄装置５２の時間情報が給排水管路５１の洗浄を判定するための洗浄判定条件を満足する場合、洗浄装置５２の時間情報を給排水管路５１の洗浄実施と判定するサーバー制御部８３により、外部サーバー８は、給排水管路５１の洗浄実施を精度よく知ることができるとともに、取得した洗浄装置５２の時間情報が、給排水部４５の洗浄装置５２の制御または状態に関連する情報であることを精度よく知ることができる。
【０１７１】
このため、外部サーバー８は、給排水管路５１の洗浄に伴って送信された複数の関連情報（動作情報、及び状態情報）が診療判定条件を満足している場合であっても、診療の実施と誤判定されることをより確実に防止できる。これにより、外部サーバー８は、医療従事者が行った診療行為をより一層精度よく知ることができる。
【０１７２】
さらに、サーバー制御部８３による判定が給排水管路５１の洗浄実施の場合、洗浄装置５２の時間情報に基づいて給排水管路５１の洗浄実績を示す管理テーブル８１２を生成するサーバー制御部８３により、外部サーバー８は、サーバー制御部８３が生成した管理テーブル８１２を、例えば、給排水管路５１の洗浄実績に基づいた医療機器の洗浄に関するアドバイスを、医療従事者に提供するサービスなどに用いることができる。このため、外部サーバー８は、診療行為に応じた様々なサービスの提供を容易にすることができる。
【０１７３】
また、サーバー制御部８３が、サーバー制御部８３による判定が診療の実施の場合、関連情報（動作情報、及び状態情報）に基づいて診療の実施実績を示す管理テーブル８１２を生成するとともに、出力データ８１３を生成することにより、外部サーバー８は、サーバー制御部８３が生成した出力データ８１３を、例えば、診療の実施実績に対する給排水管路５１の洗浄実績を医療従事者に提供するサービス、あるいは診療の実施実績に対して給排水管路５１の洗浄が適切であるかを通知するサービスなどに用いることができる。このため、外部サーバー８は、診療行為に応じた様々なサービスの提供を容易にすることができる。
【０１７４】
また、医療機器を歯科医療機器とし、サーバー制御部８３が、歯科医療機器の制御または状態に関連する関連情報（動作情報、及び状態情報）と診療判定条件に基づいて、歯科診療の実施を判定することにより、外部サーバー８は、歯科診療における診療行為を、例えば、遠隔地であっても知ることができ、歯科診療に応じた様々なサービスの提供を容易にすることができる。
【０１７５】
また、動作情報が、チェアユニット４１の動作に関連する情報、オペレーティングライト４２の点灯に関連する情報、及び診療機器４４（ハンドピース４４ａ、スケーラ、バキューム４４ｂ、レーザ機器など）の動作に関連する情報であるため、外部サーバー８は、既存の医療機器の動作に関連する動作情報に基づいて、診療の実施を判定できるため、医療機器にさらなるハードウェアを追加することを不要にできる。
【０１７６】
また、状態情報が、チェアユニット４１の昇降位置に関連する情報、及びベースンユニット４３の開閉扉の開閉状態に関連する情報であるため、外部サーバー８は、例えば、既存の医療機器の状態に関連する状態情報に基づいて、診療の実施を判定できるため、医療機器にさらなるハードウェアを追加することを不要にできる。
【０１７７】
また、関連情報（動作情報、及び状態情報）が、医療機器を識別する機器識別情報が付与されたものであり、サーバー制御部８３が、機器識別情報が付与された複数の関連情報（動作情報、及び状態情報）が診療判定条件を満足する場合、複数の関連情報（動作情報、及び状態情報）を、機器識別情報に対応する医療機器による診療の実施と判定することにより、外部サーバー８は、医療従事者による診療行為をより精度よく知ることができる。
【０１７８】
さらに、診療行為に用いられた複数の医療機器を識別できるため、外部サーバー８は、例えば、医療機器の稼働実績を医療従事者に提供するサービスにおいて、医療機器ごとの稼働実績を精度よく通知することができる。
【０１７９】
また、通信部８２が、診療装置４を識別する装置識別情報４８ａが付与された関連情報（動作情報、及び状態情報）を、診療装置４から受信するものであり、サーバー制御部８３が、装置識別情報４８ａで関連付けられた複数の関連情報（動作情報、及び状態情報）が装置識別情報４８ａに応じた診療判定条件を満足する場合、装置識別情報４８ａで関連付けられた複数の関連情報（動作情報、及び状態情報）を診療の実施と判定することにより、外部サーバー８は、医療従事者が行った診療行為をより一層精度よく知ることができるため、診療装置４の稼働実態に応じた様々なサービスの提供を容易にすることができる。
【０１８０】
具体的には、例えば、歯科診療を行なう診療所２では、予防診療、治療、及び手術など診療内容に応じた診療ブースが設定され、それぞれの診療ブースに診療装置４が配置されていることがある。このような場合、予防診療、治療、及び手術など診療内容に応じて、医療機器の動作や状態が異なるため、診療装置４からの関連情報（動作情報、及び状態情報）を全て同じ診療判定条件で判定すると、診療の実施を精度よく判定できないおそれがある。
【０１８１】
そこで、診療装置４を識別する装置識別情報４８ａで関連付けられた複数の関連情報（動作情報、及び状態情報）が装置識別情報４８ａに応じた診療判定条件を満足する場合、装置識別情報４８ａで関連付けられた複数の関連情報（動作情報、及び状態情報）を診療行為の実施と判定するサーバー制御部８３により、外部サーバー８は、診療の実施を診療装置４ごとに判定することができる。
【０１８２】
例えば、診療内容に応じた診療装置４が複数ある場合であっても、外部サーバー８は、診療装置４ごとに診療の実施を判定する、すなわち診療内容に応じた診療の実施を判定することができる。
【０１８３】
これにより、外部サーバー８は、複数の関連情報（動作情報、及び状態情報）を精度よく判定することができる。このため、外部サーバー８は、医療従事者が行った診療行為をより一層精度よく知ることができるため、診療装置４の稼働実態に応じた様々なサービスの提供を容易にすることができる。
【０１８４】
また、医療機器（チェアユニット４１や診療機器４４など）に関する各種情報を処理する支援システム１は、医療機器の制御または状態を検知する診療装置４と、医療機器の制御または状態に関連する関連情報（動作情報、及び状態情報）を取得する外部サーバー８とを備えたことにより、複数の関連情報（動作情報、及び状態情報）が診療行為によるものであるかを判定できるため、医療従事者が行った診療行為を、例えば、遠隔地であっても知ることができる。
【０１８５】
このため、支援システム１は、例えば、診療行為に応じた適切な医療装置の洗浄タイミングの通知、あるいは医療装置の稼働実績の通知などのように、診療行為に応じた様々なサービスの提供を容易にすることができる。
【０１８６】
さらに、支援システム１は、例えば、医療機器の動作を制御する制御信号に基づいて、診療装置４が医療機器の動作に関連する関連情報（動作情報、及び状態情報）を送信することで、医療機器の動作を検知する手段を診療装置４に別途設けることを不要にすることができる。
【０１８７】
つまり、支援システム１は、例えば診療装置４のソフトウェアを更新するだけで、外部サーバー８に関連情報（動作情報、及び状態情報）を送信することができるため、医療機器や診療装置４の買換えを不要にして、診療行為に応じた様々なサービスの提供を容易にすることができる。
【０１８８】
また、医療機器（チェアユニット４１や診療機器４４など）に関する各種情報を処理する装置を用いた情報処理方法は、医療機器の制御または状態に関連する関連情報（動作情報、及び状態情報）を取得する取得工程と、複数の関連情報（動作情報、及び状態情報）が、診療行為の判定条件である診療判定条件を満足する場合、複数の関連情報（動作情報、及び状態情報）を診療の実施と判定する判定工程とを備えたことにより、複数の関連情報（動作情報、及び状態情報）が診療行為によるものであるかを判定できるため、医療従事者が行った診療行為を、例えば、遠隔地であっても知ることができる。
【０１８９】
このため、情報処理方法は、例えば、診療行為に応じた適切な医療装置の洗浄タイミングの通知、あるいは医療装置の稼働実績の通知などのように、診療行為に応じた様々なサービスの提供を容易にすることができる。
【実施例２】
【０１９０】
次に、実施例１における第一次診療行為判定処理（図１０のステップＳ１３３）の処理動作が異なる実施例２について、図１６及び図１７を用いて説明する。  
なお、上述した実施例１と同じ構成は、同じ符号を付して、その詳細な説明を省略する。  
また、図１６は実施例２における外部サーバー８のブロック図を示し、図１７は推定モデル８１５を説明する説明図を示している。
【０１９１】
実施例２の支援システム１は、実施例１における第一次診療行為判定処理（図１０のステップＳ１３３）が、機械学習、例えば、ニューラルネットワークを用いた推定モデル８１５で構成されている点が異なる。  
なお、第一次診療行為判定処理を構成する推定モデル８１５は、図１６に示すように、実施例１の判定テーブル８１４にかえて、外部サーバー８の記憶部８１に記憶されているものとする。
【０１９２】
この推定モデル８１５は、図１７に示すように、例えば、入力層８１５ａ、中間層８１５ｂ、及び出力層８１５ｃからなるニューラルネットワークを用いた判定アルゴリズムである。  
この推定モデル８１５は、図１７に示すように、例えば、チェアユニット４１の状態情報と、オペレーティングライト４２の動作情報と、診療機器４４の時間情報及び動作情報などとを、入力層８１５ａに対して入力される入力情報とし、診療の非実施を示す情報または診療の実施を示す情報が、出力層８１５ｃから出力される出力情報として得られるように構築されている。
【０１９３】
具体的には、推定モデル８１５は、実際に診療が行われた際のチェアユニット４１の状態情報と、オペレーティングライト４２の動作情報と、診療機器４４の時間情報及び動作情報などとを、入力層８１５ａに対して入力される入力情報とし、実際に診療が行われたことを示す行為情報を、入力情報に対する教師データとして、繰返し学習して構築されている。
【０１９４】
なお、上述した実際に診療が行われたことを示す行為情報は、例えば、診療を開始する医療従事者が、診療装置４の操作部４７に設けた診療開始を示すボタンを押下することで、外部サーバー８に送信される情報とする。  
この際、推定モデル８１５は、入力情報に対する出力情報が、診療の実施を示す情報となるように、実際に診療が行われたことを示す行為情報に基づいて、重み付けや判定閾値を繰返し調整して学習している。
【０１９５】
つまり、推定モデル８１５は、実際に診療が行われた際の入力情報、入力情報に対する出力情報、及び行為情報に基づいた学習によって構築された重み付けや判定閾値が、実施例１における診療判定条件を構築している。  
このようにして、推定モデル８１５は、入力情報に対して、診療の非実施を示す情報、または診療の実施を示す情報のいずれかが出力情報として出力されるように構築されている。
【０１９６】
以上のように、外部サーバー８、支援システム１、及び情報処理方法は、上述の実施例１と同様に、複数の関連情報（動作情報、及び状態情報）が診療行為によるものであるかを判定できるため、医療従事者が行った診療行為を、例えば、遠隔地であっても知ることができる。
【０１９７】
また、サーバー制御部８３が、複数の関連情報（動作情報、及び状態情報）と、ニューラルネットワークを用いた推定モデル８１５とに基づいて、診療の実施と判定するものであり、診療判定条件が、推定モデル８１５の学習によって構築されるものであり、推定モデル８１５が、サーバー制御部８３による判定結果を示す出力情報と、関連情報（動作情報、及び状態情報）に対する教師データである医療従事者による診療行為を示す行為情報とによって学習されることにより、外部サーバー８は、複数の関連情報（動作情報、及び状態情報）をより精度よく判定できるため、医療従事者が行った診療行為をさらに精度よく知ることができる。
【０１９８】
具体的には、サーバー制御部８３の診療判定条件が推定モデル８１５の学習によって構築されているため、外部サーバー８は、予め定めた診療判定条件と、複数の関連情報（動作情報、及び状態情報）に基づいて診療の実施を判定する場合と比べて、より精度よく判定することができる。
【０１９９】
さらに、サーバー制御部８３による判定結果を示す出力情報と、関連情報（動作情報、及び状態情報）に対する教師データである行為情報とによって学習される推定モデル８１５のため、外部サーバー８は、例えば、医療従事者による診療が開始されるたびに行為情報を取得することで、複数の関連情報（動作情報、及び状態情報）に基づく診療の実施をサーバー制御部８３で判定するたびに、推定モデル８１５の学習対象であるパラメータ（例えば、重み付け係数や判定閾値など）を随時更新することができる。
【０２００】
これにより、外部サーバー８は、次回判定時におけるサーバー制御部８３による診療の実施の判定精度を向上することができる。このため、外部サーバー８は、複数の関連情報（動作情報、及び状態情報）に基づく診療の実施をより精度よく判定でき、医療従事者が行った診療行為をさらに精度よく知ることができる。
【０２０１】
また、本システムによれば、複数の関連情報を大量に長期に渡って収集することでユーザごとに診療機器４４の使い方を把握することができ、結果、ユーザの使用の傾向や癖を把握することができる。傾向や癖を把握できれば、医療機器による診療の実施を判定するための判定条件を、傾向や癖に応じて変更することができ、診療行為の判定精度を向上させることができる。
【０２０２】
この発明は、上述の実施形態の構成のみに限定されるものではなく、多くの実施の形態を得ることができる。  
例えば、上述した実施例１及び実施例２において、チェアユニット４１、オペレーティングライト４２、ベースンユニット４３、及び複数の診療機器４４などを備えた診療装置４としたが、これに限定せず、診療装置４は、診療目的に応じた適宜の構成であってもよく、例えば、実施例１及び実施例２の構成に加えて、さらに、レントゲン機器やオートクレーブなどを備えたものであってもよい。
【０２０３】
また、ハンドピース４４ａ、バキューム４４ｂ、スケーラ、インプラント用ドリル、医療用レーザ、及びうがい用コップ４３ｂなどを診療機器４４としたが、これに限定せず、診療の際に、医療従事者が使用する機器や患者が使用する機器であれば、例えば、レントゲン機器やオートクレーブなどの適宜の機器を診療機器としてもよい。
【０２０４】
また、チェアユニット４１、オペレーティングライト４２、ベースンユニット４３、複数の診療機器４４、及び給排水部４５を、医療従事者や患者が使用する医療機器としたが、これに限定せず、例えば、レントゲン機器やオートクレーブなどの適宜の機器を医療機器としてもよい。
【０２０５】
また、診療装置４の診療制御部５０が、時間情報、動作情報、状態情報、機器識別情報、及び装置識別情報４８ａを、通信部４９を介して外部サーバー８に送信する構成としたが、これに限定せず、例えば、診療機器４４の動作を制御する制御部を診療機器４４に設け、時間情報、動作情報、状態情報、及び機器識別情報を診療機器４４が、診療制御部５０、及び通信部４９を介して外部サーバー８に直接的に送信する構成であってもよい。
【０２０６】
また、診療装置４が、動作情報や状態情報などに時間情報を関連付けるとともに、通信部４９を介して外部サーバー８に送信する構成としたが、これに限定せず、診療装置４が通信部４９を介して送信した動作情報や状態情報などを外部サーバー８が受信した際、外部サーバー８が、動作情報や状態情報などを受信したタイミングで時間情報を生成するとともに、動作情報や状態情報などに時間情報を関連付けてもよい。
【０２０７】
また、外部サーバー８が、通信回線３，７を介して、時間情報、動作情報、状態情報、機器識別情報、及び装置識別情報４８ａを取得する構成としたが、これに限定せず、診療装置４において、時間情報、動作情報、状態情報、機器識別情報、及び装置識別情報４８ａを記憶媒体に記憶させ、外部サーバー８が、記憶媒体を介して、時間情報、動作情報、状態情報、機器識別情報、及び装置識別情報４８ａを取得する構成であってもよい。この際、診療装置４、及び外部サーバー８には、記憶媒体に各種情報を書き込む機能と、記憶媒体の各種情報を読み出す機能とを有する媒体読書き部が設けられているものとする。
【０２０８】
また、診療所２から離れた遠隔地に設けられた外部サーバー８が、診療の実施の判定、及び給排水管路５１の洗浄実施の判定などを行なうものとして説明したが、これに限定せず、管理装置６が、診療の実施の判定、及び給排水管路５１の洗浄実施の判定などを行なう構成であってもよい。  
この際、実施例２において、推定モデル８１５を含むプログラムが、例えば、通信回線７で接続された外部装置、あるいは記憶媒体を介して、配布されるものであってもよい。
【０２０９】
また、チェアユニット４１の状態情報、オペレーティングライト４２の動作情報、診療機器４４の動作情報、及び診療機器４４の時間情報に基づいて、診療の実施を判定する第一次診療行為判定処理（図１１参照）としたが、これに限定せず、医療従事者が使用する適宜の機器、及び患者が使用する適宜の機器の動作情報、状態情報、及び時間情報に基づいて、診療の実施を判定する第一次診療行為判定処理としてもよい。
【０２１０】
この際、例えば、動作情報は、ハンドピース４４ａライトの点灯に関連する情報、レントゲン機器の動作に関連する情報、オートクレーブの動作に関連する情報などであってもよい。  
一方、状態情報は、ベースンユニット４３の開閉蓋の開閉状態に関連する情報、診療機器４４の接続状態に関連する情報、電圧値の変化に基づいた診療機器４４の状態に関連する情報、電流値の変化に基づいた診療機器４４の状態に関連する情報、及び温度変化に基づいた給排水部４５の状態に関連する情報、医療機器の載置状態に関する情報などであってもよい。
【０２１１】
また、外部サーバー８が、一日一回、管理テーブル登録処理を実行し、一月に一回、出力データ送信処理を実行する構成とした、これに限定せず、管理テーブル登録処理、及び出力データ送信処理を、例えば、逐次実行するなど、適宜のタイミングで実行する外部サーバー８としてもよい。
【０２１２】
また、うがい用コップ４３ｂの時間情報、ベースンユニット４３の開閉扉の時間情報、及び給排水部４５の洗浄装置５２の時間情報に基づいて、給排水管路５１の洗浄実施を判定する洗浄実施判定処理（図１２参照）としたが、これに限定せず、給排水管路５１の洗浄に伴う特有の時間情報に基づいて、給排水管路５１の洗浄実施を判定する洗浄実施判定処理としてもよい。
【０２１３】
具体的には、ハンドピース４４ａが接続されるチューブ４５１ａが複数引き出されている状態を示す情報、給排水管路５１への洗浄水の供給を開始する操作を受付けたことを示す情報、給水管路４５１への洗浄剤の投入を開始する操作を受付けたことを示す情報、及び排水タンク４５７の洗浄を開始する操作を受付けたことを示す情報のうち少なくとも１つ以上に基づいて送信された時間情報によって、給排水管路５１の洗浄実施が判定される洗浄実施判定処理としてもよい。
【０２１４】
例えば、全てのハンドピース４４ａのピックアップが検知されたことを示す情報に基づいて送信された時間情報、ベースンユニット４３の開閉扉の開放など洗浄のためのシーケンスが検知されたことを示す情報に基づいて送信された時間情報、及び給排水部４５の洗浄装置５２を動作させる操作が検知されたことを示す情報に基づいて送信された時間情報の１つ以上を取得している場合、給排水管路５１の洗浄実施と判定する洗浄実施判定処理としてもよい。
【０２１５】
また、出力データ８１３を管理装置６に送信して、管理装置６の表示部６１に閲覧可能に表示させたが、これに限定せず、外部サーバー８、または管理装置６に接続したプリンタで出力データ８１３を印刷してもよい。
【０２１６】
また、日毎の診療の実施実績、及び給排水管路５１の洗浄実績の一覧と、給排水管路５１の衛生状態に関するコメントとが表示された実績画面Ｓを構成する出力データ８１３としたが、これに限定せず、さらに、診療装置４の稼働率や診療機器４４の稼働率を示すグラフが表示される実績画面Ｓを構成する出力データ８１３としてもよい。
【０２１７】
また、外部サーバー８が、時期情報、動作情報、状態情報、機器識別情報、及び装置識別情報４８ａを取得するたびに情報テーブル８１１に登録する構成としたが、これに限定せず、逐次一時記憶する構成としてもよい。  
また、実施例１において、判定テーブル８１４に登録された診療判定条件は、一例であって、これに限定されるものではなく、実際の診療において使用される機器、機器の動作順序、及び機器の動作期間に応じた適宜の判定条件としてもよい。
【０２１８】
例えば、チェアユニット４１の状態情報、オペレーティングライト４２の動作情報、及び複数の診療機器４４の動作情報を受信した受信順序を、診療判定条件としてもよい。  
これにより、外部サーバー８は、医療機器の使用順序が決まっている医療従事者による診療行為を容易に判定することができる。
【０２１９】
このため、外部サーバー８は、複数の関連情報（動作情報、及び状態情報）が診療行為によるものであるかをさらに精度よく判定することができる。  
従って、外部サーバー８は、医療従事者が行った診療行為をさらに精度よく知ることができる。
【０２２０】
また、実施例１の第一次診療行為判定処理において、判定テーブル８１４を参照したが、これに限定せず、第一次診療行為判定処理を実現するプログラムに、判定テーブル８１４の診療判定条件が登録されてもよい。
【０２２１】
また、時間情報、動作情報、及び状態情報に関連づけた装置識別情報４８ａに基づいて、外部サーバー８が、診療装置４の用途種別である「予防診療」、「治療」、または「手術」を識別する構成としたが、これに限定せず、サーバー制御部８３が、例えば、診療機器４４の時間情報、動作情報、及び機器識別情報に基づいて、歯科診療の実施を、さらに歯科診療における予防診療、治療、あるいは手術のいずれかと判定してもよい。  
これにより、外部サーバー８は、診療機器４４の時間情報、動作情報、及び機器識別情報に基づいて、歯科診療の実施を、さらに詳細に判定することができる。このため、外部サーバー８は、より診療行為に応じた様々なサービスの提供を容易にすることができる。
【０２２２】
また、支援システム１の処理動作（図８のステップＳ１０１からステップＳ１０５）は、一例であって、これに限定せず、外部サーバー８が診療装置４からの各種情報を取得して、診療の実施または診療の非実施を判定したのち、出力データ８１３を出力できる処理動作であれば、適宜の処理動作としてもよい。
【０２２３】
また、診療装置４における情報送信処理（図８のステップＳ１０１参照）の処理動作は、一例であって、図９のステップＳ１１１からステップＳ１２６の処理動作に限定せず、医療機器の動作または／および状態に応じた時期情報、動作情報、状態情報、機器識別情報、及び装置識別情報４８ａを、外部サーバー８に送信できる処理動作であれば、適宜の処理動作としてもよい。
【０２２４】
また、外部サーバー８における管理テーブル登録処理（図８のステップＳ１０３参照）は、一例であって、図１０のステップＳ１３１からステップＳ１４０の処理動作に限定せず、診療の実施、または診療の非実施を判定して管理テーブル８１２に登録できる処理動作であれば、適宜の処理動作としてもよい。
【０２２５】
また、外部サーバー８における管理テーブル登録処理において、第一次診療行為判定処理の一次判定結果と、洗浄実施推定処理の判定結果とに基づいて、診療の実施、または診療の非実施を判定したが、これに限定せず、第二次診療行為判定処理をスキップして、第一次診療行為判定処理の一次判定結果を、診療の実施、または診療の非実施として判定してもよい。
【０２２６】
また、実施例１の外部サーバー８における第一次診療行為判定処理（図１０のステップＳ１３３参照）の処理動作は、一例であって、図１１のステップＳ１５１からステップＳ１５９の処理動作に限定せず、診療の実施または診療の非実施を判定できる処理動作であれば、適宜の処理動作としてもよい。
【０２２７】
また、実施例１の外部サーバー８における洗浄実施判定処理（図１０のステップＳ１３４参照）の処理動作は、一例であって、図１２のステップＳ１６１からステップＳ１６５の処理動作に限定せず、給排水管路５１の洗浄実施、または洗浄非実施を適切に判定できる処理動作であれば、適宜の処理動作としてもよい。例えば、ニューラルネットワークを用いた推定モデルに基づいて、給排水管路５１の洗浄実施と判定するものとしてもよい。
【０２２８】
また、実施例１の外部サーバー８における出力データ送信処理（図８のステップＳ１０４参照）の処理動作は、一例であって、図１３のステップＳ１７１からステップＳ１８２の処理動作に限定せず、給水管路４５１の洗浄要否、及び排水管路４５２の洗浄要否を判定して、出力データ８１３を生成送信できる処理動作であれば、適宜の処理動作としてもよい。
【０２２９】
また、実施例２において、推定モデル８１５の入力層８１５ａに対して入力される入力情報を、実際に診療が行われた際のチェアユニット４１の状態情報、オペレーティングライト４２の動作情報、及び診療機器４４の時間情報及び動作情報としたが、これに限定せず、適宜の時間情報、動作情報、及び状態情報としてもよい。
【０２３０】
また、歯科診療において、医療機器に関する各種情報を処理する情報処理装置である外部サーバー８、診療装置４と外部サーバー８とを備えた情報処理システムである支援システム１、及び情報処理方法としたが、これに限定せず、歯科診療以外で使用される情報処理装置、情報処理システム、及び情報処理方法に適用してもよい。例えば、耳鼻咽喉科、外科、内科、眼科、産婦人科、整形外科など、診療台、手術台、レントゲン装置、照明装置、手術器具、洗浄装置、または、滅菌装置などを用いて診療する医療分野において適用することが可能である。
【符号の説明】
【０２３１】
１…支援システム
４…診療装置
８…外部サーバー
４１…チェアユニット
４２…オペレーティングライト
４３…ベースンユニット
４４…診療機器
４５…給排水部
５２…洗浄装置
８２…通信部
８３…サーバー制御部
８１２…管理テーブル
８１３…出力データ
８１５…推定モデル
【図１】
2020135668.tif 000003
【図２】
2020135668.tif 000004
【図３】
2020135668.tif 000005
【図４】
2020135668.tif 000006
【図５】
2020135668.tif 000007
【図６】
2020135668.tif 000008
【図７】
2020135668.tif 000009
【図８】
2020135668.tif 000010
【図９】
2020135668.tif 000011
【図１０】
2020135668.tif 000012
【図１１】
2020135668.tif 000013
【図１２】
2020135668.tif 000014
【図１３】
2020135668.tif 000015
【図１４】
2020135668.tif 000016
【図１５】
2020135668.tif 000017
【図１６】
2020135668.tif 000018
【図１７】
2020135668.tif 000019